(57)【特許請求の範囲】
【請求項１】
テレビ番組で紹介された商品に関する商品情報であって、該テレビ番組を示す情報と、該テレビ番組において該商品が紹介されていた時間帯を示す情報とが関連付けられた商品情報を記憶するための商品情報記憶手段を備え、商品情報が前記商品情報記憶手段に記憶されたことを示す記憶完了情報を外部の装置へ送信可能なサーバ装置と通信ネットワークを介して通信可能であり、かつ、テレビジョン受像機を遠隔操作するための無線信号を送信可能な携帯端末装置であって、
ユーザによる入力操作を受け付ける操作部と、
前記操作部への入力操作に応答して、選局可能な複数の放送チャンネルにおいて放送中の各テレビ番組のうちの一のテレビ番組に対してチェック動作を行う番組チェック手段と、
前記番組チェック手段によって一のテレビ番組がチェックされると、該一のテレビ番組がチェックされた時刻を示す情報およびチェックされた該一のテレビ番組を示す情報を含む番組チェック情報を生成して、前記サーバ装置へ送信する番組チェック情報送信手段と、
前記番組チェック手段によって前記一のテレビ番組がチェックされた時間帯に該一のテレビ番組において紹介された商品に関する商品情報が前記商品情報記憶手段に記憶されたことを示す記憶完了情報を前記サーバ装置から受信する記憶完了情報取得手段と、
前記記憶完了情報取得手段が記憶完了情報を受信すると、該記憶完了情報に関連した商品情報が前記商品情報記憶手段に記憶されたことを示すために前記テレビジョン受像機の表示を制御するための無線信号を送信するテレビジョン受像機制御手段とを含むことを特徴とする携帯端末装置。
【請求項２】
前記操作部への入力操作に応答して、前記番組チェック情報送信手段によって生成された１または複数の番組チェック情報の中から一の番組チェック情報を選択する番組チェック情報選択手段と、
前記番組チェック情報選択手段によって一の番組チェック情報が選択されると、該一の番組チェック情報に係るテレビ番組において紹介された商品についての商品情報を、前記サーバ装置から取得する商品情報取得手段と、
前記商品情報取得手段によって取得された商品情報を表示する表示手段とをさらに含む
ことを特徴とする請求項１記載の携帯端末装置。
【請求項３】
前記商品情報は、前記商品を購入可能なオンライン店舗へのリンク情報を含むことを特徴とする請求項１または２に記載の携帯端末装置。
【請求項４】
前記商品情報は、複数の商品の情報を表示する電子カタログであることを特徴とする請求項１〜３のいずれか１つに記載の携帯端末装置。
【請求項５】
前記操作部への入力操作に応答して、前記表示手段に表示された商品情報を選択する商品情報選択手段と、
テレビ番組を録画可能な録画機器を制御するための制御信号を生成して送信する録画機器制御手段とをさらに含み、
前記録画機器制御手段は、前記商品情報選択手段によって商品情報が選択されると、該商品情報に関連付けられたテレビ番組を再生させるように前記録画機器を制御することを特徴とする請求項２記載の携帯端末装置。
【請求項６】
前記録画機器制御手段は、前記商品情報選択手段によって商品情報が選択されると、該商品情報に関連付けられたテレビ番組を、該商品情報に関連付けられた時間帯の場面から再生させるように前記録画機器を制御することを特徴とする請求項５記載の携帯端末装置。
【請求項７】
通信ネットワークを介して互いに通信可能な携帯端末装置とサーバ装置とによって構成されてなり、前記携帯端末装置が、テレビジョン受像機を遠隔操作するための無線信号を送信可能である情報通信システムであって、
前記サーバ装置は、
テレビ番組で紹介された商品に関する商品情報であって、該テレビ番組を示す情報と、該テレビ番組において該商品が紹介されていた時間帯を示す情報とが関連付けられた商品情報を記憶するための商品情報記憶手段を含み、
前記携帯端末装置は、
ユーザによる入力操作を受け付ける操作部と、
前記操作部への入力操作に応答して、選局可能な複数の放送チャンネルにおいて放送中の各テレビ番組のうちの一のテレビ番組に対してチェック動作を行う番組チェック手段と、
前記番組チェック手段によって一のテレビ番組がチェックされると、該一のテレビ番組がチェックされた時刻を示す情報およびチェックされた該一のテレビ番組を示す情報を含む番組チェック情報を生成して、前記サーバ装置へ送信する番組チェック情報送信手段とを含み、
前記サーバ装置は、
前記携帯端末装置から送信される番組チェック情報を記憶する番組チェック情報記憶部と、
商品情報が前記商品情報記憶手段に新たに記憶されると、該商品情報に関連付けられたテレビ番組および時間帯に対応する番組チェック情報を前記番組チェック情報記憶部から抽出し、抽出した番組チェック情報を送信した携帯端末装置へ、該商品情報が前記商品情報記憶手段に記憶されたことを示す記憶完了情報を送信する記憶完了情報出力手段とをさらに含み、
前記携帯端末装置は、
前記記憶完了情報出力手段から送信された記憶完了情報を受信する記憶完了情報取得手段と、
前記記憶完了情報取得手段が記憶完了情報を受信すると、該記憶完了情報に関連した商品情報が前記商品情報記憶手段に記憶されたことを示すために前記テレビジョン受像機の表示を制御するための無線信号を送信するテレビジョン受像機制御手段とをさらに含むことを特徴とする情報通信システム。
【発明の詳細な説明】
【技術分野】
【０００１】
本発明は、携帯端末装置および情報通信システムに関する。
【背景技術】
【０００２】
テレビ番組を視聴しているときに、そのテレビ番組内で紹介された商品を購入したい、紹介されたサービスを享受したい、あるいは紹介された商品・サービスについて詳しく知りたいということがある。
【０００３】
たとえば、株式会社ＭＤパートナーズにより、携帯端末用のアプリケーションとして、テレビ番組で紹介された商品に関する情報を、携帯端末で確認することができるとともに、紹介された商品をオンラインショッピングによって購入することができるサービスが提供されている。
【０００４】
たとえば特許文献１には、所定のＣＭの放送時間が到来すると、そのＣＭの映像信号および音声信号を放送し、かつ画面上にアイキャッチを表示させるためのアイキャッチ信号を放送するとともに、予め利用登録しているユーザの携帯端末に対して、そのＣＭで紹介されている商品の情報を電子メールなどにより送信するように構成されたシステムが開示されている。
【０００５】
また特許文献２には、放送で紹介される通販商品に関する情報とその放送時刻とを通販情報センタに格納しておき、放送を視聴している視聴者が、電話などの通信機器を用いてその通販情報センタにアクセスすると、通販情報センタでは、アクセスしてきた通信機器の識別情報から情報の配信先の電子メールアドレスを特定するとともに、アクセスしてきた時刻を元にその時刻に放送されていた通販商品を検索して、該当する通販商品に関する情報を、特定した電子メールアドレス宛に電子メールで配信するように構成されたシステムが開示されている。
【先行技術文献】
【特許文献】
【０００６】
【特許文献１】特開２００２−１４１８７６号公報
【特許文献２】特開２００３−１４１３９７号公報
【発明の概要】
【発明が解決しようとする課題】
【０００７】
しかしながら、上記のアプリケーションでは、テレビ番組において商品が紹介されてから、その商品に関する商品情報がサーバ装置に記憶されるまでの間に、データの作成に要する時間（たとえば１５分〜３０分程度）の分だけタイムラグが生じている。このため、商品が紹介されてから暫くの間は、目的の商品情報がサーバ装置に記憶されていないので、ユーザは、目的の商品情報を商品が紹介されてからすぐに確認することができず、少し時間が経過した後で、目的の商品情報を確認しなければならない。
【０００８】
このように、上記のアプリケーションでは、目的の商品情報を確認するために、商品が紹介された直後に確認のための操作を行うのではなく、商品が紹介されてからある程度の時間が経過した後に確認のための操作を行わなければならない。したがって、この時間の経過によって、ユーザは、確認のための操作を行うことを忘れてしまうおそれがあり、これにより、商品を販売する側にとっては、商品販売の機会を逸することとなり、ユーザにとっては、商品を購入する機会を逸することとなるという問題がある。
【０００９】
また特許文献１に開示される技術は、ＣＭの放送にあわせて、登録されているユーザに対して一方的に商品の情報を送信するものであるため、ユーザにとっては、購入したくもない商品の情報についてまで取得することとなってしまうという問題がある。
【００１０】
また特許文献２に開示される技術は、視聴者が電話を用いて通販情報センタにアクセスした時刻を元に商品を検索してその商品の商品情報を配信するものであるため、同時刻において複数の通販番組が放送されていた場合には、商品を特定することができないという問題がある。
【００１１】
また特許文献１，２のいずれにも、テレビ番組において商品が紹介されてから、その商品に関する商品情報がサーバ装置に記憶されるまでの間に、データの作成に要する時間の分だけタイムラグが生じることに起因して、商品の販売機会あるいは商品の購入機会を逸してしまうという上記のアプリケーションの問題点を解決する方法について、記載も示唆もされていない。
【００１２】
本発明の目的は、テレビ番組において商品が紹介されてから、その商品に関する商品情報がサーバ装置に記憶されるまでの間に、データの作成に要する時間の分だけタイムラグが生じるような場合であっても、商品販売の機会および商品購入の機会を逸すること防ぐことができる携帯端末装置および情報通信システムを提供することである。
【課題を解決するための手段】
【００１３】
本発明は、テレビ番組で紹介された商品に関する商品情報であって、該テレビ番組を示す情報と、該テレビ番組において該商品が紹介されていた時間帯を示す情報とが関連付けられた商品情報を記憶するための商品情報記憶手段を備え、商品情報が前記商品情報記憶手段に記憶されたことを示す記憶完了情報を外部の装置へ送信可能なサーバ装置と通信ネットワークを介して通信可能であり、かつ、テレビジョン受像機を遠隔操作するための無線信号を送信可能な携帯端末装置であって、
ユーザによる入力操作を受け付ける操作部と、
前記操作部への入力操作に応答して、選局可能な複数の放送チャンネルにおいて放送中の各テレビ番組のうちの一のテレビ番組に対してチェック動作を行う番組チェック手段と、
前記番組チェック手段によって一のテレビ番組がチェックされると、該一のテレビ番組がチェックされた時刻を示す情報およびチェックされた該一のテレビ番組を示す情報を含む番組チェック情報を生成して、前記サーバ装置へ送信する番組チェック情報送信手段と、
前記番組チェック手段によって前記一のテレビ番組がチェックされた時間帯に該一のテレビ番組において紹介された商品に関する商品情報が前記商品情報記憶手段に記憶されたことを示す記憶完了情報を前記サーバ装置から受信する記憶完了情報取得手段と、
前記記憶完了情報取得手段が記憶完了情報を受信すると、該記憶完了情報に関連した商品情報が前記商品情報記憶手段に記憶されたことを示すために前記テレビジョン受像機の表示を制御するための無線信号を送信するテレビジョン受像機制御手段とを含むことを特徴とする携帯端末装置である。
【００１４】
また本発明は、前記操作部への入力操作に応答して、前記番組チェック情報送信手段によって生成された１または複数の番組チェック情報の中から一の番組チェック情報を選択する番組チェック情報選択手段と、
前記番組チェック情報選択手段によって一の番組チェック情報が選択されると、該一の番組チェック情報に係るテレビ番組において紹介された商品についての商品情報を、前記サーバ装置から取得する商品情報取得手段と、
前記商品情報取得手段によって取得された商品情報を表示する表示手段とをさらに含むことを特徴とする。
【００１６】
また本発明は、前記商品情報は、前記商品を購入可能なオンライン店舗へのリンク情報を含むことを特徴とする。
【００１７】
また本発明は、前記商品情報は、複数の商品の情報を表示する電子カタログであることを特徴とする。
【００１８】
また本発明は、前記操作部への入力操作に応答して、前記表示手段に表示された商品情報を選択する商品情報選択手段と、
テレビ番組を録画可能な録画機器を制御するための制御信号を生成して送信する録画機器制御手段とをさらに含み、
前記録画機器制御手段は、前記商品情報選択手段によって商品情報が選択されると、該商品情報に関連付けられたテレビ番組を再生させるように前記録画機器を制御することを特徴とする。
【００１９】
また本発明は、前記録画機器制御手段は、前記商品情報選択手段によって商品情報が選択されると、該商品情報に関連付けられたテレビ番組を、該商品情報に関連付けられた時間帯の場面から再生させるように前記録画機器を制御することを特徴とする。
【００２０】
また本発明は、通信ネットワークを介して互いに通信可能な携帯端末装置とサーバ装置とによって構成されてなり、前記携帯端末装置が、テレビジョン受像機を遠隔操作するための無線信号を送信可能である情報通信システムであって、
前記サーバ装置は、
テレビ番組で紹介された商品に関する商品情報であって、該テレビ番組を示す情報と、該テレビ番組において該商品が紹介されていた時間帯を示す情報とが関連付けられた商品情報を記憶するための商品情報記憶手段を含み、
前記携帯端末装置は、
ユーザによる入力操作を受け付ける操作部と、
前記操作部への入力操作に応答して、選局可能な複数の放送チャンネルにおいて放送中の各テレビ番組のうちの一のテレビ番組に対してチェック動作を行う番組チェック手段と、
前記番組チェック手段によって一のテレビ番組がチェックされると、該一のテレビ番組がチェックされた時刻を示す情報およびチェックされた該一のテレビ番組を示す情報を含む番組チェック情報を生成して、前記サーバ装置へ送信する番組チェック情報送信手段とを含み、
前記サーバ装置は、
前記携帯端末装置から送信される番組チェック情報を記憶する番組チェック情報記憶部と、
商品情報が前記商品情報記憶手段に新たに記憶されると、該商品情報に関連付けられたテレビ番組および時間帯に対応する番組チェック情報を前記番組チェック情報記憶部から抽出し、抽出した番組チェック情報を送信した携帯端末装置へ、該商品情報が前記商品情報記憶手段に記憶されたことを示す記憶完了情報を送信する記憶完了情報出力手段とをさらに含み、
前記携帯端末装置は、
前記記憶完了情報出力手段から送信された記憶完了情報を受信する記憶完了情報取得手段と、
前記記憶完了情報取得手段が記憶完了情報受信すると、該記憶完了情報に関連した商品情報が前記商品情報記憶手段に記憶されたことを示すために前記テレビジョン受像機の
表示を制御するための無線信号を送信するテレビジョン受像機制御手段とをさらに含むことを特徴とする情報通信システムである。
【発明の効果】
【００２１】
本発明によれば、携帯端末装置は、操作部への入力操作に応答して、選局可能な複数の放送チャンネルにおいて放送中の各テレビ番組のうちの一のテレビ番組に対してチェック動作を行う番組チェック手段を備え、番組チェック手段によって一のテレビ番組がチェックされると、番組チェック情報送信手段によって、該一のテレビ番組がチェックされた時刻を示す情報およびチェックされた該一のテレビ番組を示す情報を含む番組チェック情報がサーバ装置へ送信される。一方、サーバ装置は、テレビ番組で紹介された商品に関する商品情報であって、該テレビ番組を示す情報と、該テレビ番組において該商品が紹介されていた時間帯を示す情報とが関連付けられた商品情報を記憶するための商品情報記憶手段を有し、携帯端末装置から番組チェック情報を受信すると、該携帯端末装置において一のテレビ番組がチェックされた時間帯に該一のテレビ番組において紹介された商品に関する商品情報が前記商品情報記憶手段に記憶されたときに、記憶されたことを示す記憶完了情報を該携帯端末装置へ出力する。
【００２２】
これにより、ユーザは、番組チェック手段によって目的の商品が紹介されているテレビ番組をチェックするだけで、商品情報記憶手段に目的の商品の商品情報が記憶されたときに、サーバ装置から該商品の商品情報が記憶されたことが自動的に通知されるので、テレビ番組において商品が紹介されてから、その商品に関する商品情報がサーバ装置に記憶されるまでの間にタイムラグが生じるような場合であっても、商品購入の機会を逸することを防ぐことができる。
【図面の簡単な説明】
【００２３】
【図１】本発明の一実施形態に係る情報通信システム１の概略的な構成を示す概略構成図である。
【図２】本発明の一実施形態に係る携帯端末装置１０の構成の一例を示すブロック図である。
【図３】本実施形態に係る携帯端末装置１０の外観を示す平面図である。
【図４】本実施形態に係る情報通信システム１を構成するサーバ装置２０の構成の一例を示すブロック図である。
【図５】サーバ装置２０の記憶部２４に記憶される番組情報テーブル３０のデータ構成の一例を示す図である。
【図６】サーバ装置２０の記憶部２４に記憶される指標情報テーブル３１のデータ構成の一例を示す図である。
【図７】サーバ装置２０の記憶部２４に記憶される商品情報テーブル３２のデータ構成の一例を示す図である。
【図８】サーバ装置２０の記憶部２４に記憶される選局操作履歴情報テーブル３３のデータ構成の一例を示す図である。
【図９】サーバ装置２０の記憶部２４に記憶される番組チェック情報テーブル３４のデータ構成の一例を示す図である。
【図１０】サーバ装置２０の記憶部２４に記憶されるお気に入り登録情報テーブル３５のデータ構成の一例を示す図である。
【図１１】サーバ装置２０の記憶部２４に記憶されるミニブログ情報データベース３６のデータ構成の一例を示す図である。
【図１２】チャンネル情報テーブル４１のデータ構成の一例を示す図である。
【図１３】第１リモコン画面Ｄ１の一例を示す図である。
【図１４】選局操作履歴情報テーブル４２のデータ構成の一例を示す図である。
【図１５】第２リモコン画面Ｄ２の一例を示す図である。
【図１６】ミニブログ情報テーブル４３のデータ構成の一例を示す図である。
【図１７】ミニブログ閲覧用画面Ｄ３の一例を示す図である。
【図１８】番組チェック用画面Ｄ４の一例を示す図である。
【図１９】番組チェック情報テーブル４４のデータ構成の一例を示す図である。
【図２０】チェック番組一覧画面Ｄ５の一例を示す図である。
【００２４】
【図２１】お気に入り商品一覧画面Ｄ６の一例を示す図である。
【図２２】番組紹介商品一覧画面Ｄ７の一例を示す図である。
【図２３】商品詳細画面Ｄ８の一例を示す図である。
【図２４】お気に入り登録情報テーブル４５のデータ構成の一例を示す図である。
【図２５】現在視聴中のテレビ番組よりも盛り上がっているテレビ番組の存在を、ＴＶ受像機３を介してユーザに通知する方法の例を示す図である。
【図２６】本発明の他の実施形態に係る情報通信システム１Ａの概略的な構成を示す概略構成図である。
【図２７】録画番組リスト情報テーブル４６のデータ構成の一例を示す図である。
【図２８】録画番組情報テーブル４７のデータ構成の一例を示す図である。
【図２９】録画用リモコン画面Ｄ９の一例を示す図である。
【図３０】ミニブログ閲覧用画面Ｄ１０の一例を示す図である。
【図３１】指標推移画面Ｄ１１の一例を示す図である。
【発明を実施するための形態】
【００２５】
図１は、本発明の一実施形態に係る情報通信システム１の概略的な構成を示す概略構成図である。本実施形態に係る情報通信システム１は、通信ネットワーク２を介して互いに通信可能な携帯端末装置１０とサーバ装置２０とを含んで構成される。
【００２６】
携帯端末装置１０としては、通信ネットワーク２を介してサーバ装置２０と通信可能に構成されるとともに、画像を表示可能な表示部１１（図２、図３参照）を備え、さらに、テレビジョン受像機（以下、「ＴＶ受像機」と略記する）３を遠隔操作するための無線信号を送信可能に構成されるものであればよい。
【００２７】
本実施形態では、携帯端末装置１０として、スマートフォンなどの携帯電話機を想定しているが、これに限定されることはなく、他の実施形態では、たとえばＰＤＡ（Personal Digital Assistant）のように電話機能を備えていない端末装置によって実現されてもよい。
【００２８】
図２は、本発明の一実施形態に係る携帯端末装置１０の構成の一例を示すブロック図である。図３は、本実施形態に係る携帯端末装置１０の外観を示す平面図である。本実施形態に係る携帯端末装置１０は、表示部１１と、操作部１２と、音声入出力部１３と、第１無線通信部１４と、第２無線通信部１５と、制御部１６と、記憶部１７とを含んで構成され、前記のようにスマートフォンによって実現される。
【００２９】
表示部１１は、画像を表示可能に構成され、たとえば液晶パネルおよびバックライトユニットを備える液晶ディスプレイによって実現される。表示部１１には、電話機能や電子メール機能を使用する際の操作画面やウェブブラウザ５によるウェブサイト閲覧画面などの各種画面が表示される。
【００３０】
操作部１２は、制御部１６に対し指令やデータを入力するための操作を受け付ける部分であり、ユーザによる操作に応答して、指令信号や入力データを制御部１６へ出力する。操作部１２は、本実施形態では、タッチパネル１２ａと、複数の操作ボタン１２ｂとによって実現される。
【００３１】
音声入出力部１３は、電話機能を実現するための構成を含む部分であり、具体的には、電話・電子メールの着信音などのサウンドや通話時の音声を出力するスピーカと、サウンド出力および音声出力を制御する音声出力制御部と、通話時の音声が入力されるマイクと、マイクに対して音声入力を制御する音声入力制御部とを含んで構成される。
【００３２】
第１無線通信部１４は、ＴＶ受像機３を遠隔操作するための各種のコマンド信号を、無線通信によって外部へ送信する機能を有する。各種のコマンド信号は、ユーザによる操作部１２への所定の入力操作に応答して、制御部１６によって生成される。
【００３３】
第１無線通信部１４は、制御部１６によって生成される各種のコマンド信号を、赤外線通信によって外部へ送信するように構成されてもよく、ＩＥＥＥ８０２．１１、Ｂｌｕｅｔｏｏｔｈ（登録商標）およびＺｉｇｂｅｅ（登録商標）などの無線通信によって外部へ送信するように構成されてもよい。
【００３４】
本実施形態では、第１無線通信部１４は、各種のコマンド信号を、赤外線通信によって外部へ送信する機能と、ＩＥＥＥ８０２．１１による無線通信によって外部へ送信する機能との両方を備えて構成されている。
【００３５】
第２無線通信部１５は、通信制御部とアンテナとを含んで構成される。通信制御部は、アンテナを介して、携帯電話基地局との間で無線通信を行い、電話機能を備える他の端末との音声通話を実現させる。また、通信制御部は、携帯電話網およびインターネットを含む通信ネットワーク２を介して、サーバ装置２０との間でデータ通信を実現させる。
【００３６】
制御部１６は、ＣＰＵ（Central Processing Unit）、ＲＯＭ（Read Only Memory）およびＲＡＭ（Random Access Memory）などを備え、ＲＯＭや記憶部１７に記憶される各種プログラムに従って携帯端末装置１０全体の制御を行う。
【００３７】
記憶部１７は、フラッシュメモリおよびＨＤＤ（Hard Disk Drive）などによって実現され、各種プログラムやデータが記憶される。本実施形態では、記憶部１７には、ウェブブラウザ５のほか、テレビ受像機３との連携機能を実現させるためのアプリケーション６、および該アプリケーション６を実行する際に必要な各種のデータが記憶される。
【００３８】
図４は、本実施形態に係る情報通信システム１を構成するサーバ装置２０の構成の一例を示すブロック図である。サーバ装置２０は、通信部２１と、操作部２２と、制御部２３と、記憶部２４とを含んで構成される。
【００３９】
通信部２１は、たとえばイーサネット（登録商標）によって実現され、インターネットに接続され、インターネットを介して携帯端末装置１０やＰＣ（Personal Computer）などの他の機器との間の双方向通信を司る。
【００４０】
操作部２２は、制御部２３に対し指令やデータを入力するための操作を受け付ける部分であり、たとえばキーボードなどによって実現される。制御部２３は、ＣＰＵ、ＲＯＭおよびＲＡＭなどを備え、ＲＯＭや記憶部２４に記憶される各種プログラムに従って、サーバ装置２０全体の制御を行う。
【００４１】
記憶部２４は、フラッシュメモリおよびＨＤＤなどによって実現され、各種プログラムやデータが記憶される。本実施形態では、記憶部２４には、ダウンロード用のアプリケーション６が記憶されるとともに、該アプリケーション６を実行する携帯端末装置１０に対して提供される各種のデータが記憶される。
【００４２】
本実施形態に係る情報通信システム１は、具体的には、アプリケーション６を実行する携帯端末装置１０と、サーバ装置２０とによって構成される。このアプリケーション６は、本実施形態では、サーバ装置２０からダウンロードすることによって取得可能である。そして、取得されたアプリケーション６は、インストールすることによって、その携帯端末装置１０に導入され実行可能となる。なお、他の実施形態では、ダウンロード用のアプリケーション６は、サーバ装置２０とは異なるサーバ装置から携帯端末装置１０へダウンロードされるように構成されてもよい。
【００４３】
ここで、サーバ装置２０の記憶部２４に記憶される各種のデータについて、図５〜図１１を参照して説明する。
【００４４】
図５は、サーバ装置２０の記憶部２４に記憶される番組情報テーブル３０のデータ構成の一例を示す図である。番組情報テーブル３０は、たとえば放送エリアごとに生成されて記憶部２４に記憶される。
【００４５】
各放送エリアの番組情報テーブル３０には、当該放送エリアにおいて選局可能な各放送チャンネルで現在放送中および放送予定の各テレビ番組に関する各種の情報（以下、「番組情報」と称する）が含まれる。番組情報テーブル３０には、たとえば１週間分あるいは１ヶ月分の番組情報が格納される。
【００４６】
本実施形態では、各番組情報テーブル３０には、１つのテレビ番組について、放送日３０ａ、放送局名３０ｂ、チャンネル番号３０ｃ、番組タイトル３０ｄ、放送開始時間３０ｅ、放送終了時間３０ｆ、番組出演者名３０ｇおよび番組内容３０ｈの各項目に関するデータが格納される。このような番組情報テーブル３０は、サーバ装置２０において、１週間分あるいは１ヶ月分の放送予定の番組情報が格納されるように、随時更新されていく。
【００４７】
図６は、サーバ装置２０の記憶部２４に記憶される指標情報テーブル３１のデータ構成の一例を示す図である。指標情報テーブル３１には、各放送チャンネルにおいて現在放送中の各テレビ番組の視聴に関する指標を示す情報が、予め定める時間単位（図６に示す例では１分単位）で算出されて順次記憶されていく。
【００４８】
ここで、各テレビ番組の視聴に関する指標を示す情報とは、本実施形態では、各テレビ番組の盛上りの度合いを、前記予め定める時間ごとに数値化して表した情報のことであり、具体的には、たとえば、ｔｗｉｔｔｅｒ（登録商標）などのミニブログサービスにおいて、現在放送中の各テレビ番組に関して投稿されているミニブログの数（以下、「投稿数」と称する）に基づいて算出される。
【００４９】
算出方法について詳細に説明すると、予め定めるミニブログサービス（たとえばｔｗｉｔｔｅｒ（登録商標））での現在放送中の各テレビ番組に関する投稿数が、前記予め定める時間単位で放送チャンネルごとに集計され、各放送チャンネルにおける前記予め定める時間での投稿数を総計した投稿数（以下、「全投稿数」と称する）に基づいて、先ず、盛上りの度合いを算出する際の基準となる基準投稿数が決定される。そして、この基準投稿数を用いて、放送チャンネルごとに、基準投稿数に対する前記予め定める時間での投稿数の比（ただし、上限値を１とする）を演算することによって算出される。
【００５０】
基準投稿数は、前記予め定める時間での投稿数を総計した全投稿数に比例して変動させるように決定するか、あるいは時間帯に応じて適宜値を変更するのが好ましい。これは、時間帯に応じて（たとえば夕方と深夜とでは）全投稿数が大きく変動するためである。つまり、全投稿数が多い時間帯に適した基準投稿数を、全投稿数が少ない時間帯での前記投稿数の比を算出する際に用いると、算出される投稿数の比が、いずれの放送チャンネルについても極小さな値となってしまうので、盛上りの度合いを示す指標として利用しにくくなってしまうためである。本実施形態では、たとえば、全投稿数の４０％の値として決定される。
【００５１】
ここで、上記の算出方法について一例を挙げて説明すると、２０１２年３月２２日２２：０５〜２２：０６の１分間での全投稿数が５０００件であり、全投稿数５０００件に対して決定された基準投稿数が２０００（＝５０００×０．４）件であり、同１分間での、「ＮＮＮ総合」で放送されているテレビ番組に対する投稿数が６００件、および「ＪＡＰＡＮテレビ」で放送されているテレビ番組に対する投稿数が２２００件である場合、同１分間に関して、「ＮＮＮ総合」の指標は、０．３（＝６００／２０００）と算出され、「ＪＡＰＡＮテレビ」の指標は、２２００／２０００＞１であるので、上限値である１と算出される。
【００５２】
指標情報テーブル３１には、前記予め定める時間の起算開始日時３１ａ、および起算開始日時から前記予め定める時間での各テレビ番組に対する投稿数に基づいて、上記の算出方法で算出された指標３１ｂの各データが、順次算出されて格納されていく。本実施形態では、指標は、サーバ装置２０の制御部２３によって１分ごとに算出されて、指標情報テーブル３１に順次格納されていく。
【００５３】
図７は、サーバ装置２０の記憶部２４に記憶される商品情報テーブル３２のデータ構成の一例を示す図である。商品情報テーブル３２には、テレビ番組またはＣＭで紹介された商品や店舗に関する情報、テレビ番組に関連する商品（たとえば、テレビ番組がドラマや映画の場合には、原作本やサウンドトラックなど）に関する情報、およびテレビ番組において出演者が身に着けていた商品に関する情報などが格納される。
【００５４】
本実施形態では、商品情報テーブル３２には、１つの商品（あるいは店舗）についての商品情報として、その商品（店舗）を識別するための識別情報３２ａ、商品名（店舗の場合は店舗名）３２ｂ、紹介されていたテレビ番組の番組タイトル３２ｃ、紹介されていたテレビ番組を放送した放送局のチャンネル番号３２ｄ、そのテレビ番組において紹介されていた時間帯３２ｅ、その商品の販売元・出版元（店舗の場合は所在地）３２ｆ、その商品の概要説明３２ｇ、その商品を購入可能なサイト（店舗の場合は、予約可能なサイト）のＵＲＬ（Uniform Resource Locator）３２ｈの各項目に関するデータのほか、図示しないが、紹介されていたテレビ番組の放送日時、その商品の画像、その商品が属するジャンル、およびその商品に関する詳細情報などが格納される。
【００５５】
このような商品情報は、テレビ番組において紹介されてから所定の事業者によってデータの作成がされ、データの作成が完了したものから順次、商品情報テーブル３２に記憶されていく。したがって、テレビ番組において商品が紹介されてから、その商品に関する商品情報が商品情報テーブル３２に記憶されるまでの間には、データの作成に要する時間（たとえば１５分〜３０分程度）の分だけタイムラグが生じてしまう。
【００５６】
図８は、サーバ装置２０の記憶部２４に記憶される選局操作履歴情報テーブル３３のデータ構成の一例を示す図である。選局操作履歴情報テーブル３３には、アプリケーション６を実行中の各携帯端末装置１０から送信されてくる選局操作履歴情報が記憶される。
【００５７】
本実施形態では、選局操作履歴情報テーブル３３には、１つの選局操作履歴情報について、選局操作履歴情報を送信した携帯端末装置１０に割り当てられているユーザ識別情報３３ａ、その携帯端末装置１０を用いて選局操作が行われた日時３３ｂ、およびその選局操作によって選局された放送チャンネルのチャンネル番号３３ｃの各項目に関するデータが格納される。
【００５８】
図９は、サーバ装置２０の記憶部２４に記憶される番組チェック情報テーブル３４のデータ構成の一例を示す図である。番組チェック情報テーブル３４には、アプリケーション６を実行中の各携帯端末装置１０から送信されてくる番組チェック情報が記憶される。
【００５９】
番組チェック情報テーブル３４には、１つの番組チェック情報について、番組チェック情報を送信した携帯端末装置１０に割り当てられているユーザ識別情報３４ａ、その携帯端末装置１０を用いてチェックが行われたテレビ番組を放送している放送局の放送局名３４ｂ、チェックが行われたテレビ番組の番組タイトル３４ｃ、およびチェックが行われた日時３４ｄの各項目に関するデータが格納される。
【００６０】
図１０は、サーバ装置２０の記憶部２４に記憶されるお気に入り登録情報テーブル３５のデータ構成の一例を示す図である。お気に入り登録情報テーブル３５には、アプリケーション６を実行中の各携帯端末装置１０から送信されてくるお気に入り登録情報が記憶される。
【００６１】
お気に入り登録情報テーブル３５には、１つのお気に入り登録情報について、お気に入り登録情報を送信した携帯端末装置１０に割り当てられているユーザ識別情報３５ａ、その携帯端末装置１０を用いてお気に入り登録された商品を識別するための識別情報３５ｂ、およびその商品についてお気に入り登録が行われた日時３５ｃの各項目に関するデータが格納される。
【００６２】
図１１は、サーバ装置２０の記憶部２４に記憶されるミニブログ情報データベース３６のデータ構成の一例を示す図である。ミニブログ情報データベース３６には、１つのミニブログ情報について、予め定めるミニブログサービスにおいて、現在放送中の各テレビ番組に対して投稿されているミニブログの内容３６ｂ、そのミニブログを投稿した投稿者のユーザ名３６ａ、およびそのミニブログが投稿された日時３６ｃの各項目に関するデータが格納される。ミニブログ情報は、サーバ装置２０の制御部２３によって随時取得され、ミニブログ情報データベース３６に記憶されていく。
【００６３】
以下、図１２〜図２４を参照して、携帯端末装置１０においてアプリケーション６を実行したときの動作について説明する。携帯端末装置１０においてアプリケーション６が起動されると、制御部１６は、アプリケーション６が、携帯端末装置１０にインストールされてから初めて起動されたか否かを判定する。
【００６４】
初めて起動された場合には、制御部１６は、初期設定のための画面を表示部１１に表示させ、ユーザに初期設定を行わせる。ここでは、初期設定として、先ず、テレビ番組を視聴しようとしている場所が、どの放送エリアに属しているのかをユーザに設定させる。たとえば４７都道府県のうちの１つをユーザに選択させることにより、放送エリアが設定される。
【００６５】
放送エリアが設定されると、制御部１６は、設定された放送エリアにおいて選局可能な放送チャンネルの放送局名、およびその放送チャンネルのチャンネル番号を示すエリア情報を、サーバ装置２０に対して要求するためのエリア情報要求信号を生成し、生成したエリア情報要求信号を、第２無線通信部１５に送信させる。
【００６６】
サーバ装置２０では、通信部２１によってこのエリア情報要求信号が受信されると、制御部２３は、その携帯端末装置１０において設定された放送エリアに対応するエリア情報を含むエリア情報信号を生成し、該エリア情報要求信号を送信した携帯端末装置１０に対して、生成したエリア情報信号を通信部２１に送信させる。
【００６７】
そして、携帯端末装置１０では、第２無線通信部１５によってエリア情報信号が受信されると、制御部１６は、そのエリア情報信号に含まれるエリア情報に基づいて、チャンネル設定のための画面を表示部１１に表示させる。具体的には、予め準備されている１〜１２のチャンネルスロットに対して、エリア情報に含まれる各放送局を、ユーザによって対応付けさせる。
【００６８】
たとえば、チャンネルスロットに一致するチャンネル番号の放送局については、チャンネル番号に等しい番号のチャンネルスロットに対応付けられ、チャンネルスロットに一致しないチャンネル番号の放送局については、ユーザによって、空いている適当なチャンネルスロットに対応付けられる。
【００６９】
このようにしてチャンネル設定が行われると、制御部１６は、チャンネルスロットとエリア情報に含まれる各放送局との対応関係を示すチャンネル設定テーブルを生成し、生成したチャンネル設定テーブルを記憶部１７に格納する。これにより、初期設定が終了する。なお、ここで生成されたチャンネル設定テーブルの内容、具体的には、チャンネルスロットと各放送局との対応付けは、ユーザによって自由に編集することができる。他の実施形態では、編集不可能な固定のデータとしてもよい。
【００７０】
アプリケーション６が初めての起動の場合には、このような初期設定が完了後に、アプリケーション６が２回目以降の起動の場合には、このような初期設定処理を行うことなくアプリケーションが起動されるとすぐに、制御部１６は、記憶部１７から前記チャンネル設定テーブルを読み出して、チャンネル情報テーブル４１を生成する。
【００７１】
図１２は、チャンネル情報テーブル４１のデータ構成の一例を示す図である。チャンネル情報テーブル４１には、予め準備されているチャンネルスロット４１ａ、そのチャンネルスロットに対応付けられた放送局の放送局名４１ｂ、その放送局において現在放送中のテレビ番組の番組タイトル４１ｃ、およびそのテレビ番組の現在の盛上りの度合いを示す指標４１ｄの各項目に関するデータが格納される。
【００７２】
ここでは、制御部１６は、前記チャンネル設定テーブルに基づいて、チャンネルスロット４１ａおよび放送局名４１ｂの各項目についてのみ、データをそれぞれ格納する。
【００７３】
そして、制御部１６は、設定された放送エリアにおいて選局可能な各放送局において現在放送中のテレビ番組に関する番組情報、および現在放送中の各テレビ番組の現在の盛上りの度合いを示す指標情報を、サーバ装置２０に対して要求するための番組情報・指標情報要求信号を生成し、生成した番組情報・指標情報要求信号を、第２無線通信部１５に送信させる。
【００７４】
サーバ装置２０では、通信部２１によって番組情報・指標情報要求信号が受信されると、制御部２３は、記憶部２４に記憶される番組情報テーブル３０（図５参照）および指標情報テーブル３１（図６参照）から、対応する放送エリアにおいて選局可能な各放送局で現在放送中のテレビ番組の番組タイトル情報、および各テレビ番組での現在の盛上りの度合いを示す指標情報を抽出し、これらの情報を通知するための番組情報・指標情報通知信号を生成する。そして、制御部２３は、該番組情報・指標情報要求信号を送信してきた携帯端末装置１０に対し、生成した番組情報・指標情報通知信号を、通信部２１に送信させる。
【００７５】
これにより、携帯端末装置１０では、第２無線通信部１５が番組情報・指標情報通知信号を受信すると、制御部１６は、受信された番組情報・指標情報通知信号から番組タイトル情報および指標情報を取得し、取得した番組タイトル情報および指標情報を、チャンネル情報テーブル４１における現在放送中の番組タイトル４１ｃおよび指標４１ｄの各項目に格納する。
【００７６】
以降、アプリケーション６が終了されるまで、制御部１６は、所定の周期で（たとえば１分ごとに）、番組情報・指標情報要求信号を、第２無線通信部１５に送信させ、それに応答して取得した番組タイトル情報および指標情報を、チャンネル情報テーブル４１における現在放送中の番組タイトル４１ｃおよび指標４１ｄの各項目に更新していくものとする。
【００７７】
さらに制御部１６は、このようにしてチャンネルスロット４１ａ、放送局名４１ｂ、現在放送中の番組タイトル４１ｃおよび指標４１ｄの各項目にデータが格納されたチャンネル情報テーブル４１に基づいて、第１リモコン画面Ｄ１の画像データを生成し、第１リモコン画面Ｄ１を表示部１１に表示させる。図１３は、第１リモコン画面Ｄ１の一例を示す図である。
【００７８】
第１リモコン画面Ｄ１は、大略的に、上部領域５１ｂ、中央領域５１ａおよび下部領域５１ｃの３つの領域を有し、中央領域５１ａには、放送局が対応付けられているチャンネルスロットごとに設けられた横長のチャンネル表示エリア５２が、画面の縦方向（図１３における上下方向）に並べて表示される。
【００７９】
各チャンネル表示エリア５２内には、チャンネルスロットの番号を表示しているチャンネルアイコン５３、そのチャンネルスロットに対応付けられている放送局の放送局名５４、その放送局において現在放送中のテレビ番組の番組タイトル５５、そのテレビ番組の現在の盛上りの度合いを示す指標アイコン５６、およびそのテレビ番組をチェックするための番組チェックアイコン５７が表示されている。
【００８０】
なお、中央領域５１ａにおいて、前記縦方向に沿ってタッチパネル１２ａをフリック入力することにより、複数のチャンネル表示エリア５２が、前記縦方向にスクロールされる。これにより、中央領域５１ａ内に表示しきれなかったチャンネルスロットのチャンネル表示エリア５２についても表示させることができる。
【００８１】
また、番組タイトル５５および指標アイコン５６については、サーバ装置２０から送信される番組情報・指標情報通知信号に応答してチャンネル情報テーブル４１が更新されると、制御部１６は、チャンネル情報テーブル４１の更新に伴って、それらの表示内容が更新された第１リモコン画面Ｄ１を表示部１１に表示させる。
【００８２】
このように、第１リモコン画面Ｄ１には、チャンネルスロットごとに、放送局名５４、番組タイトル５５および指標アイコン５６が表示されているので、ユーザは、第１リモコン画面Ｄ１を確認することによって、どの放送局あるいはどのテレビ番組が現在盛り上がっているのかを、容易に認識することができる。
【００８３】
本実施形態では、各テレビ番組の現在の盛上りの度合いを示す指標アイコン５６が、図１３に示すように、棒グラフの形式で表示されている。したがって、ユーザは、数値によって盛上りの度合いが表示されている場合に比べて、各テレビ番組での盛上り状況を瞬時に把握することができ、どの放送チャンネルを選局すべきかという判断をすばやく行うことができる。
【００８４】
また、本実施形態では、盛上りの度合いを示す指標が上限値である１に到達しているテレビ番組については、その指標アイコン５６を、他のテレビ番組の指標アイコン５６とは異なる色、より詳細には、他のテレビ番組の指標アイコン５６よりも目立つ色によって表示するように構成されている。したがって、ユーザは、最高潮に盛り上がっているテレビ番組の存在を容易に認識することができるので、そのテレビ番組を放送している放送チャンネルを選局することにより、盛上りのシーンを見逃すことなく、確実に視聴することができる。
【００８５】
なお、本実施形態では、各チャンネル表示エリア５２内には、棒グラフ形式の指標アイコン５６が表示されているだけであるが、他の実施形態では、棒グラフ形式の指標アイコン５６に加えて、更新前の指標と更新後の指標とを比較した比較結果をユーザに知らせるためのアイコンを表示させてもよい。
【００８６】
具体的には、更新後の指標が更新前の指標よりも増加している場合には、右上がりの矢印を表示し、更新後の指標が更新前の指標よりも減少している場合には、右下がりの矢印を表示し、更新前後において指標が変化なしの場合には、右向きの矢印を表示するようにしてもよい。これにより、ユーザは、各テレビ番組における現在の盛上りの傾向をも把握することができ、放送チャンネルを選局する際の判断材料として利用することができる。
【００８７】
さらに他の実施形態では、指標アイコン５６を、棒グラフの形式ではなく、時系列的な推移を視認可能な形式、具体的には折れ線グラフの形式で表示させてもよい。この場合にも、ユーザは、盛上りの傾向を、放送チャンネルを選局する際の判断材料として利用することができる。
【００８８】
また、各チャンネル表示エリア５２には、３つのタッチ入力可能なタッチエリア５３ｔ，５４ｔ，５７ｔが設定されている。具体的には、チャンネルアイコン５３を包含する所定の領域に対して選局用タッチエリア５３ｔが設定され、放送局名５４および番組タイトル５５を包含する所定の領域に対してミニブログ閲覧用タッチエリア５４ｔが設定され、番組チェックアイコン５７を包含する所定の領域に対して番組チェック用タッチエリア５７ｔが設定されている。
【００８９】
さらに、第１リモコン画面Ｄ１の上部領域５１ｂには、電源操作用アイコン５８、音量調整用アイコン５９、および第２リモコン画面遷移用アイコン６０が表示されるとともに、電源操作用アイコン５８を包含する所定の領域に対して電源操作用タッチエリア５８ｔが設定され、音量調整用アイコン５９を包含する所定の領域に対して音量調整用タッチエリア５９ｔが設定され、第２リモコン画面遷移用アイコン６０を包含する所定の領域に対して第２リモコン画面遷移用タッチエリア６０ｔが設定されている。
【００９０】
また、第１リモコン画面Ｄ１の下部領域５１ｃには、第１リモコン画面遷移用アイコン６１、ミニブログ閲覧画面遷移用アイコン６２、チェック商品リスト画面遷移用アイコン６３、お気に入り登録画面遷移用アイコン６４が表示されるとともに、第１リモコン画面遷移用アイコン６１を包含する所定の領域に対して第１リモコン画面遷移用タッチエリア６１ｔが設定され、ミニブログ閲覧画面遷移用アイコン６２を包含する所定の領域に対してミニブログ閲覧画面遷移用タッチエリア６２ｔが設定され、チェック商品リスト画面遷移用アイコン６３を包含する所定の領域に対してチェック商品リスト画面遷移用タッチエリア６３ｔが設定され、お気に入り登録画面遷移用アイコン６４を包含する所定の領域に対してお気に入り登録画面遷移用タッチエリア６４ｔが設定されている。
【００９１】
以下では、この第１リモコン画面Ｄ１において、各タッチエリアに対してタッチ入力された場合の動作について説明する。
【００９２】
先ず、第１リモコン画面Ｄ１において、選局用タッチエリア５３ｔに対してタッチ入力が行われた場合には、制御部１６は、赤外線通信およびＩＥＥＥ８０２．１１による無線通信のいずれの方法で無線信号を送信するように設定されているかを判定し、タッチ入力された選局用タッチエリア５３ｔのチャンネルスロットに対応する放送チャンネルを選局するためのコマンド信号を生成する。そして、生成したコマンド信号を含む無線信号を、第１無線通信部１４に生成させて出力させる。
【００９３】
これにより、第１無線通信部１４から出力された無線信号がＴＶ受像機３で受信されると、そのＴＶ受像機３では、ユーザによるタッチ入力によって選局された放送チャンネルで放送中のテレビ番組が表示される。
【００９４】
このように、ユーザは、各テレビ番組の指標アイコン５６を第１リモコン画面Ｄ１において確認しながら、その第１リモコン画面Ｄ１に設定されている選局用タッチエリア５３ｔに対してタッチ入力することで、所望の放送チャンネルを選局することができる。すなわち、ユーザは、本実施形態に係る携帯端末装置１０を所持するだけで、各テレビ番組の盛上りの度合いを確認しつつ、所望の放送チャンネルを選局することができる。したがって、選局操作のために携帯端末装置１０からＴＶ受像機３に付属の専用リモコンに持ち替えるという煩わしい動作を省略することができる。
【００９５】
制御部１６は、選局用タッチエリア５３ｔに対するタッチ入力によって放送チャンネルが選局されると、選局された放送チャンネルに対応するチャンネルスロットのチャンネルアイコン５３を、他のチャンネルスロットのチャンネルアイコン５３とは異なる表示態様で表示させる。
【００９６】
一例を挙げると、図１４に示すように、ユーザによって「ＪＡＰＡＮテレビ」が選局された場合、「ＪＡＰＡＮテレビ」に対応するチャンネルスロットのチャンネルアイコン５３にのみ、選局されたことを識別するための選局アイコン６５が重ねて表示される。
【００９７】
なお、表示態様を異ならせる方法は、このような方法に限定されず、たとえば、選局された放送チャンネルに対応するチャンネルスロットのチャンネルアイコン５３の表示色を、他のチャンネルアイコン５３の表示色と異ならせるように表示してもよく、また、選局された放送チャンネルに対応するチャンネルスロットのチャンネル表示エリア５２内の背景色を、他のチャンネル表示エリア５２内の背景色と異ならせるように表示してもよい。
【００９８】
このように、選局された放送チャンネルに関する表示の態様を、他の放送チャンネルに関する表示の態様と異ならせることで、ユーザは、第１リモコン画面Ｄ１を確認することにより、現在どの放送チャンネルのテレビ番組がＴＶ受像機３に表示されているのかを容易に把握することができる。
【００９９】
また、制御部１６は、選局用タッチエリア５３ｔに対するタッチ入力によって放送チャンネルが選局されると、アプリケーション６のインストール時に生成された選局操作履歴情報テーブル４２に、そのタッチ入力に応じた選局操作履歴情報を格納する。
【０１００】
図１４は、選局操作履歴情報テーブル４２のデータ構成の一例を示す図である。選局操作履歴情報テーブル４２には、１つの選局操作履歴情報について、携帯端末装置１０に割り当てられているユーザ識別情報４２ａ、選局用タッチエリア５３ｔに対するタッチ入力が行われた日時４２ｂ、そのタッチ入力によって選局された放送チャンネルのチャンネル番号４２ｃの各項目に関するデータが格納される。
【０１０１】
さらに、制御部１６は、選局操作履歴情報を選局操作履歴情報テーブル４２に格納後、選局操作履歴情報テーブル４２に格納した選局操作履歴情報を、サーバ装置２０に対して通知するための選局操作履歴情報通知信号を生成し、生成した選局操作履歴情報通知信号を、第２無線通信部１５に送信させる。
【０１０２】
サーバ装置２０では、通信部２１によって選局操作履歴情報通知信号が受信されると、制御部２３は、選局操作履歴情報通知信号に含まれる選局操作履歴情報を、記憶部２４に記憶される選局操作履歴情報テーブル３３（図８参照）に格納する。このようにして、サーバ装置２０には、アプリケーション６を実行する各携帯端末装置１０から選局操作履歴情報が送信され、選局操作履歴情報テーブル３３に蓄積されていく。
【０１０３】
また、第１リモコン画面Ｄ１において、電源操作用タッチエリア５８ｔに対してタッチ入力が行われた場合には、制御部１６は、ＴＶ受像機３の電源をＯＮ／ＯＦＦするためのコマンド信号を生成し、生成したコマンド信号を含む無線信号を、第１無線通信部１４に生成させて出力させる。
【０１０４】
これにより、第１無線通信部１４から出力された無線信号がＴＶ受像機３で受信されると、そのＴＶ受像機３では、電源がＯＮからＯＦＦに、あるいはＯＦＦからＯＮに切換えられる。ここでは、第１リモコン画面Ｄ１でのタッチ入力について説明しているが、他の画面においても、電源操作用タッチエリア５８ｔに対してタッチ入力が行われた場合には、同様の動作が実行される。
【０１０５】
また、第１リモコン画面Ｄ１において、音量調整用タッチエリア５９ｔに対してタッチ入力が行われた場合には、制御部１６は、ＴＶ受像機３から出力される音の音量を調整するためのコマンド信号を生成し、生成したコマンド信号を含む無線信号を、第１無線通信部１４に生成させて出力させる。
【０１０６】
これにより、第１無線通信部１４から出力された無線信号がＴＶ受像機３で受信されると、そのＴＶ受像機３では、音量が調整される。ここでは、第１リモコン画面Ｄ１でのタッチ入力について説明しているが、他の画面においても、電源操作用タッチエリア５８ｔに対してタッチ入力が行われた場合には、同様の動作が実行される。
【０１０７】
また、第１リモコン画面Ｄ１において、第２リモコン画面遷移用タッチエリア６０ｔに対してタッチ入力が行われた場合には、制御部１６は、第２リモコン画面Ｄ２の画像データを生成し、第２リモコン画面Ｄ２を表示部１１に表示させる。図１５は、第２リモコン画面Ｄ２の一例を示す図である。
【０１０８】
第２リモコン画面Ｄ２は、大略的に、第１リモコン画面Ｄ１と同様の上部領域５１ｂ、および残余の領域であるリモコン領域５１ｄを有する。上部領域５１ｂには、第１リモコン画面Ｄ１と同様に、電源操作用アイコン５８および音量調整用アイコン５９が表示されるとともに、電源操作用タッチエリア５８ｔおよび音量調整用タッチエリア５９ｔが設定される。さらに上部領域５１ｂには、第１リモコン画面遷移用アイコン６６が表示されるとともに、第１リモコン画面遷移用アイコン６６を包含する所定の領域に対して第１リモコン画面遷移用タッチエリア６６ｔが設定されている。
【０１０９】
また、第２リモコン画面Ｄ２のリモコン領域５１ｄには、チャンネルスロットごとに、画面の縦方向および横方向に沿ってマトリクス状に、略正方形状のチャンネル表示エリア６７が表示される。
【０１１０】
各チャンネル表示エリア６７内には、チャンネルスロットの番号を表示しているチャンネルアイコン５３、そのチャンネルスロットに対応付けられている放送局の放送局名５４、およびそのテレビ番組の現在の盛上りの度合いを示す指標アイコン５６が表示されている。そして、各チャンネル表示エリア６７を包含する所定の領域に対して選局用タッチエリア５３ｔがそれぞれ設定されている。
【０１１１】
この第２リモコン画面Ｄ２において、第１リモコン画面遷移用タッチエリア６６ｔに対してタッチ入力が行われた場合には、制御部１６は、第１リモコン画面Ｄ１の画像データを生成し、第１リモコン画面Ｄ１を表示部１１に表示させる。すなわち、第１リモコン画面Ｄ１における第２リモコン画面遷移用タッチエリア６０ｔ、あるいは第２リモコン画面Ｄ２における第１リモコン画面遷移用タッチエリア６６ｔをタッチ入力することにより、第１リモコン画面Ｄ１と第２リモコン画面Ｄ２とを切り換えることができる。
【０１１２】
また第２リモコン画面Ｄ２において、選局用タッチエリア５３ｔに対してタッチ入力が行われた場合には、第１リモコン画面Ｄ１の場合と同様に、制御部１６は、タッチ入力された選局用タッチエリア５３ｔのチャンネルスロットに対応する放送チャンネルを選局するためのコマンド信号を生成する。そして、生成したコマンド信号を含む無線信号を、第１無線通信部１４に生成させて出力させる。
【０１１３】
この第２リモコン画面Ｄ２は、前記第１リモコン画面Ｄ１と類似しているが、チャンネル表示エリア６７の表示の態様をチャンネル表示エリア５２と異ならせることによって、選局用タッチエリア５３ｔのサイズを、第１リモコン画面Ｄ１における選局用タッチエリア５３ｔのサイズよりも大きくしている。したがって、第２リモコン画面Ｄ２を表示させることによって、放送チャンネルを選局するためのタッチ入力の操作性を向上させることができる。
【０１１４】
また、第２リモコン画面Ｄ２では、リモコン領域５１ｄ内に、全てのチャンネルスロットのチャンネル表示エリア６７が表示されているので、フリック操作を行うことなく全ての放送チャンネルを選局することができる。この点においても、第１リモコン画面Ｄ１に比べて、放送チャンネルを選局する際の操作性を向上させることができる。
【０１１５】
さらには、全ての放送チャンネルについての指標を、フリック操作を行うことなく１つの画面内で比較することができるので、ユーザは、どの放送チャンネルを選局すべきかの判断をすばやく行うことができる。
【０１１６】
このように、第２リモコン画面Ｄ２は、放送チャンネルを選局する際の操作性が第１リモコン画面Ｄ１に比べて向上させている。したがって、第２リモコン画面Ｄ２は、携帯端末装置１０を主にリモコンとして機能させる場合に表示させるのが好ましい。
【０１１７】
再び、第１リモコン画面Ｄ１に戻って、第１リモコン画面Ｄ１において、ミニブログ閲覧用タッチエリア５４ｔに対してタッチ入力が行われた場合には、制御部１６は、タッチ入力されたミニブログ閲覧用タッチエリア５４ｔに対応する放送局および／またはテレビ番組に関連したミニブログ情報を、サーバ装置２０に対して要求するミニブログ情報要求信号を生成し、生成したミニブログ情報要求信号を、第２無線通信部１５に送信させる。
【０１１８】
サーバ装置２０では、通信部２１によってミニブログ情報要求信号が受信されると、制御部２３は、記憶部２４に記憶されるミニブログ情報データベース３６（図１１参照）から、要求されている放送局および／またはテレビ番組に関連したミニブログ情報を抽出し、抽出したミニブログ情報を送信するためのミニブログ情報送信信号を生成する。そして、制御部２３は、ミニブログ情報要求信号を送信してきた携帯端末装置１０に対し、生成したミニブログ情報送信信号を、通信部２１に送信させる。
【０１１９】
これにより、携帯端末装置１０では、第２無線通信部１５がミニブログ情報送信信号を受信すると、制御部１６は、受信されたミニブログ情報送信信号に含まれるミニブログ情報を、アプリケーション６のインストール時に生成されたミニブログ情報テーブル４３に格納する。
【０１２０】
図１６は、ミニブログ情報テーブル４３のデータ構成の一例を示す図である。ミニブログ情報テーブル４３には、１つのミニブログ情報について、タッチ入力によって選択された放送局および／またはテレビ番組に関連するミニブログの内容４３ｂ、そのミニブログを投稿した投稿者のユーザ名４３ａ、およびそのミニブログが投稿された日時４３ｃの各項目に関するデータが格納される。
【０１２１】
さらに制御部１６は、このミニブログ情報テーブル４３に基づいて、ミニブログ閲覧用画面Ｄ３の画像データを生成し、ミニブログ閲覧用画面Ｄ３を表示部１１に表示させる。図１７は、ミニブログ閲覧用画面Ｄ３の一例を示す図である。
【０１２２】
ミニブログ閲覧用画面Ｄ３は、第１リモコン画面Ｄ１と同様に、上部領域５１ｂ、中央領域５１ａおよび下部領域５１ｃの３つの領域を有し、上部領域５１ｂおよび下部領域５１ｃについては、第１リモコン画面Ｄ１と同一であるので、説明を省略する。
【０１２３】
ミニブログ閲覧用画面Ｄ３の中央領域５１ａには、その左端の領域に、画面の縦方向に沿って、チャンネルスロットごとに、チャンネルアイコン５３とともに指標アイコン５６が表示され、残余の領域には、タッチ入力によって選択された放送局名５４、その放送局において現在放送中のテレビ番組の番組タイトル５５、およびそのテレビ番組をチェックするための番組チェックアイコン５７が表示されるとともに、ミニブログ情報テーブル４３に基づいて、ミニブログ情報が表示される。
【０１２４】
このように、ユーザは、第１リモコン画面Ｄ１において、ミニブログ閲覧用タッチエリア５４ｔをワンタッチ操作するだけで、そのミニブログ閲覧用タッチエリア５４ｔに対応する放送局および／またはテレビ番組に関連するミニブログを閲覧することができる。
【０１２５】
再び、第１リモコン画面Ｄ１に戻って、第１リモコン画面Ｄ１において、番組チェック用タッチエリア５７ｔに対してタッチ入力が行われた場合には、制御部１６は、タッチ入力された番組チェック用タッチエリア５７ｔに対応するテレビ番組をチェックさせるためのダイアログが表示される番組チェック用画面Ｄ４の画像データを生成し、表示部１１に表示させる。図１８は、番組チェック用画面Ｄ４の一例を示す図である。
【０１２６】
番組チェック用画面Ｄ４には、ダイアログボックス６８が表示され、そのダイアログボックス６８内には、タッチ入力された番組チェック用タッチエリア５７ｔに対応するテレビ番組の番組タイトル５５、ユーザにチェックを促すテキストデータ６９、チェックアイコン７０、およびキャンセルボタン７１が表示される。
【０１２７】
また、ダイアログボックス６８内には、チェックアイコン７０を包含する所定の領域に対してチェック用タッチエリア７０ｔが設定され、キャンセルボタン７１を包含する所定の領域に対してキャンセル用タッチエリア７１ｔが設定されている。なお、チェック用タッチエリア７０ｔは、チェックアイコン７０およびテキストデータ６９を包含する所定の領域に対して設定されてもよい。
【０１２８】
この番組チェック用画面Ｄ４において、キャンセル用タッチエリア７１ｔに対してタッチ入力が行われた場合には、制御部１６は、番組チェック用画面Ｄ４に遷移する直前の画面の画像データを生成し、その画面を表示部１１に表示させる。たとえば、ミニブログ閲覧用画面Ｄ３において番組チェック用タッチエリア５７ｔに対してタッチ入力が行われることにより番組チェック用画面Ｄ４に遷移した場合には、キャンセル用タッチエリア７１ｔに対してタッチ入力が行われると、制御部１６は、ミニブログ閲覧用画面Ｄ３の画像データを生成し、ミニブログ閲覧用画面Ｄ３を表示部１１に表示させる。
【０１２９】
また、この番組チェック用画面Ｄ４において、チェック用タッチエリア７０ｔに対してタッチ入力が行われた場合には、制御部１６は、チェックアイコン７０の表示態様を、未チェック状態の表示態様からチェック状態の表示態様に変更し、所定の時間経過後に、番組チェック用画面Ｄ４に遷移する直前の画面の画像データを生成し、その画面を表示部１１に表示させる。
【０１３０】
このように、番組チェック用画面Ｄ４において、選択されたテレビ番組に対してチェックを行う操作は、ユーザが、テレビ番組を視聴中に、そのテレビ番組またはＣＭ内で紹介された商品を購入したい、あるいはそのテレビ番組またはＣＭ内で紹介された店舗に訪れたい、あるいはこれらの商品や店舗について詳細な情報を知りたいなどと思った場合に行われる。
【０１３１】
制御部１６は、このようにしてテレビ番組に対してチェックが行われると、アプリケーション６のインストール時に生成された番組チェック情報テーブル４４に、番組チェック情報を格納する。
【０１３２】
図１９は、番組チェック情報テーブル４４のデータ構成の一例を示す図である。番組チェック情報テーブル４４には、１つの番組チェック情報について、携帯端末装置１０に割り当てられているユーザ識別情報４４ａ、チェックが行われたテレビ番組を放送している放送局の放送局名４４ｂ、チェックが行われたテレビ番組の番組タイトル４４ｃ、およびチェックが行われた日時４４ｄの各項目に関するデータが格納される。なお、図１９に示すように、同一のテレビ番組に対して、複数回チェックを行うことも可能である。
【０１３３】
そして、制御部１６は、番組チェック情報を番組チェック情報テーブル４４に格納後、番組チェック情報テーブル４４に格納した番組チェック情報を、サーバ装置２０に対して通知するための番組チェック情報通知信号を生成し、生成した番組チェック情報通知信号を、第２無線通信部１５に送信させる。
【０１３４】
本実施形態では、前記のように、携帯端末装置１０に番組チェックテーブル４４を設け、テレビ番組がチェックされるたびに、番組チェック情報を番組チェックテーブル４４に格納するように構成されているが、他の実施形態では、ユーザによってテレビ番組がチェックされると、前記各項目４４ａ〜４４ｄを含む番組チェック情報を自装置に格納することなく、サーバ装置２０へ送信するように構成されてもよい。この場合には、携帯端末装置１０は、通信ネットワーク２を介してサーバ装置２０との間で通信可能な状態となっている必要がある。このように、他の実施形態では、番組チェック情報を、携帯端末装置１０へ記憶しておくのではなく、サーバ装置２０に登録しておき、必要に応じて参照するように構成されてもよい。
【０１３５】
サーバ装置２０では、通信部２１によって番組チェック情報通知信号が受信されると、制御部２３は、番組チェック情報通知信号に含まれる番組チェック情報を、記憶部２４に記憶される番組チェック情報テーブル３４（図９参照）に格納する。このようにして、サーバ装置２０には、アプリケーション６を実行する各携帯端末装置１０から番組チェック情報が送信され、番組チェック情報テーブル３４に蓄積されていく。
【０１３６】
サーバ装置２０の制御部２３は、記憶部２４に記憶される商品情報テーブル３２（図７参照）を常に監視し、商品情報が商品情報テーブル３２に新たに記憶されると、その商品情報における番組タイトル３２ｃおよび時間帯３２ｅの各データをキーにして、番組チェック情報テーブル３４に記憶されている複数の番組チェック情報の中から、当該商品情報に関連する番組チェック情報を抽出する。
【０１３７】
詳細には、制御部２３は、先ず、新たに記憶された商品情報における時間帯３２ｅのデータに対して、ある程度の幅を持たせた時間帯のデータを作成する。具体的には、時間帯を規定する２つの時刻のうちの後の方の時刻を予め定める時間だけ遅らせたデータを作成する。一例を挙げると、商品情報における時間帯３２ｅのデータが７：０３〜７：０６である場合には、後の方の時刻をたとえば５分遅らせた７：０３〜７：１１という時間帯のデータを作成する。このように、２つの時刻のうちの後の方の時刻を遅らせるのは、商品が紹介されている時間帯よりも後に、携帯端末装置１０を用いてチェックを行うことが考えられるからである。
【０１３８】
そして、制御部２３は、番組チェック情報テーブル３４から、新たに記憶された商品情報における番組タイトル３２ｃのデータと同一の番組タイトル３４ｃのデータを有する番組チェック情報を全て抽出し、さらに、抽出された番組チェック情報の中から、チェック日時３４ｄのデータが、前記のように作成された時間帯のデータに含まれている番組チェック情報を抽出する。
【０１３９】
たとえば、図７に示す商品情報テーブル３２において、識別情報３２ａが「Ｐ２３４５６」の商品の商品情報が新たに記憶されたとすると、制御部２３は、その商品情報における時間帯３２ｅのデータに基づいて、前記のように７：０３〜７：１１という時間帯のデータを作成し、図９に示す番組チェック情報テーブル３４に記憶されている複数の番組チェック情報の中から、番組タイトル３４ｃが「モーニングてれび」であって、チェック日時３４ｄが７：０３〜７：１１の時間帯に含まれている番組チェック情報を抽出する。この場合には、ユーザ識別情報３４ａが「Ｕ１２３４５」の番組チェック情報が抽出される。
【０１４０】
このようにして番組チェック情報が抽出されると、制御部２３は、その番組チェック情報におけるユーザ識別情報３４ａのデータに基づいて、当該番組チェック情報を送信した携帯端末装置１０のメールアドレスを取得し、そのメールアドレス宛に、番組チェック情報に対応する商品の商品情報が、商品情報テーブル３２に記憶されたことを通知する電子メールを送信する。
【０１４１】
したがって、ユーザは、サーバ装置２０から送信される電子メールを開封し、表示部１１に表示させて閲覧することにより、所望の商品情報が商品情報テーブル３２に記憶されたことを知ることができる。
【０１４２】
前記のように、テレビ番組において商品が紹介されてから、その商品に関する商品情報が商品情報テーブル３２に記憶されるまでの間に、データの作成に要する時間の分だけタイムラグが生じてしまうような場合、テレビ番組を視聴しているユーザは、商品情報テーブル３２に記憶されるまで、所望の商品の購入手続を進めることも、所望の商品の詳細な情報を取得することもできない。したがって、このような場合には、商品が紹介されてからの時間の経過に伴って、商品を購入しようとする考え自体がユーザの頭から忘れ去られてしまい、商品の購入機会を逸することがある。
【０１４３】
これに対し、本実施形態によれば、テレビ番組に対してチェックを行うだけで、チェックを行った時刻に基づいて、サーバ装置２０が自動的に、所望の商品情報が商品情報テーブル３２に記憶されたこと通知してくれる。このように、ユーザは、複雑な操作を行うことなく、テレビ番組を視聴中に気になった商品について、購入機会あるいは詳細な情報の取得機会を逸することを回避することができる。
【０１４４】
再び、第１リモコン画面Ｄ１に戻って、第１リモコン画面Ｄ１において、お気に入り登録画面遷移用タッチエリア６４ｔに対してタッチ入力が行われた場合には、制御部１６は、チェック番組一覧画面Ｄ５の画像データを生成し、チェック番組一覧画面Ｄ５を表示部１１に表示させる。図２０は、チェック番組一覧画面Ｄ５の一例を示す図である。
【０１４５】
チェック番組一覧画面Ｄ５は、第１リモコン画面Ｄ１と同様に、上部領域５１ｂ、中央領域５１ａおよび下部領域５１ｃの３つの領域を有し、上部領域５１ｂおよび下部領域５１ｃについては、第１リモコン画面Ｄ１と同一であるので、説明を省略する。
【０１４６】
チェック番組一覧画面Ｄ５の中央領域５１ａは、タブで表示切替できるような形式で表示され、図２０に示すように、チェック番組一覧画面Ｄ５では、番組チェックタブ７２に対応付けられたチェック番組一覧ウインドウ７４が表示される。
【０１４７】
また、お気に入りタブ７３を包含する所定の領域に対してお気に入り切換用タッチエリア７３ｔが設定されており、このお気に入り切換用タッチエリア７３ｔに対してタッチ入力が行われた場合には、制御部１６は、お気に入り商品一覧画面Ｄ６の画像データを生成し、お気に入り商品一覧画面Ｄ６を表示部１１に表示させる。図２１は、お気に入り商品一覧画面Ｄ６の一例を示す図である。
【０１４８】
お気に入り商品一覧画面Ｄ６は、第１リモコン画面Ｄ１と同様に、上部領域５１ｂ、中央領域５１ａおよび下部領域５１ｃの３つの領域を有し、上部領域５１ｂおよび下部領域５１ｃについては、第１リモコン画面Ｄ１と同一であるので、説明を省略する。
【０１４９】
お気に入り商品一覧画面Ｄ６の中央領域５１ａは、タブで表示切替できるように表示され、図２１に示すように、お気に入り商品一覧画面Ｄ６では、お気に入りタブ７３に対応付けられたお気に入り商品一覧ウインドウ７５が表示される。
【０１５０】
また、番組チェックタブ７２を包含する所定の領域に対して番組チェック切換用タッチエリア７２ｔが設定されており、この番組チェック切換用タッチエリア７２ｔに対してタッチ入力が行われた場合には、制御部１６は、チェック番組一覧画面Ｄ５の画像データを生成し、チェック番組一覧画面Ｄ５を表示部１１に表示させる。すなわち、番組チェック切換用タッチエリア７２ｔあるいはお気に入り切換用タッチエリア７３ｔに対してタッチ入力が行われることによって、チェック番組一覧画面Ｄ５とお気に入り商品一覧画面Ｄ６とが切り換えられる。
【０１５１】
チェック番組一覧画面Ｄ５において、チェック番組一覧ウインドウ７４には、ユーザによるチェック操作の回数分だけ設けられたチェック番組表示エリア７６が、画面の縦方向に並べて表示される。
【０１５２】
各チェック番組表示エリア７６内には、番組チェック情報テーブル４４に格納されている情報に基づいて、チェック操作においてチェックされたテレビ番組の番組タイトル５５、そのテレビ番組を放送した放送局の放送局名５４、およびそのテレビ番組がチェックされた日時７７が表示されている。
【０１５３】
さらに、各チェック番組表示エリア７６には、放送局名５４、番組タイトル５５および日時７７を包含する所定の領域に対して番組紹介商品閲覧用タッチエリア７７ｔが設定されている。
【０１５４】
チェック番組一覧画面Ｄ５において、この番組紹介商品閲覧用タッチエリア７７ｔに対してタッチ入力が行われた場合には、制御部１６は、タッチ入力された番組紹介商品閲覧用タッチエリア７７ｔに対応するテレビ番組において紹介された商品の商品情報を、サーバ装置２０に対して要求する商品情報要求信号を生成し、生成した商品情報要求信号を、第２無線通信部１５に送信させる。
【０１５５】
サーバ装置２０では、通信部２１によって商品情報要求信号が受信されると、制御部２３は、記憶部２４に記憶される商品情報テーブル３２（図７参照）から、要求されているテレビ番組で紹介された商品の商品情報を抽出し、抽出した商品情報を送信するための商品情報送信信号を生成する。そして、制御部２３は、商品情報要求信号を送信してきた携帯端末装置１０に対し、商品情報送信信号を、通信部２１に送信させる。
【０１５６】
これにより、携帯端末装置１０では、第２無線通信部１５が商品情報送信信号を受信すると、制御部１６は、受信された商品情報送信信号に含まれる商品情報に基づいて、番組紹介商品一覧画面Ｄ７の画像データを生成し、番組紹介商品一覧画面Ｄ７を表示部１１に表示させる。図２２は、番組紹介商品一覧画面Ｄ７の一例を示す図である。
【０１５７】
番組紹介商品一覧画面Ｄ７は、第１リモコン画面Ｄ１と同様に、上部領域５１ｂ、中央領域５１ａおよび下部領域５１ｃの３つの領域を有し、上部領域５１ｂおよび下部領域５１ｃについては、第１リモコン画面Ｄ１と同一であるので、説明を省略する。
【０１５８】
番組紹介商品一覧画面Ｄ７の中央領域５１ａには、商品一覧ウインドウ７８が表示され、商品一覧ウインドウ７８内には、そのテレビ番組において紹介された商品ごとに設けられた商品表示エリア７９が、画面の縦方向に並べて表示される。
【０１５９】
各商品表示エリア７９内には、商品の画像８０、その商品のジャンル８１、その商品の商品名８２、その商品に関する指標を示す指標アイコン８３、およびその商品を、お気に入り商品一覧ウインドウ７５に登録するためのお気に入りアイコン８４が表示されている。
【０１６０】
指標アイコン８３は、たとえば該当商品がお気に入りに登録された回数、該当ページから遷移して実際に購入された回数、および該当商品の詳細情報を示すページが閲覧された回数など指標に基づいて、棒グラフの形式で表示されている。これらの指標は、サーバ装置２０の制御部２３によって生成される。
【０１６１】
さらに、各商品表示エリア７９内には、画像８０、ジャンル８１、商品名８２、指標アイコン８３を包含する所定の領域に対して商品詳細閲覧用タッチエリア８０ｔが設定され、お気に入りアイコン８４を包含する所定の領域に対してお気に入り登録用タッチエリア８４ｔが設定されている。
【０１６２】
番組紹介商品一覧画面Ｄ７において、商品詳細閲覧用タッチエリア８０ｔに対してタッチ入力が行われた場合には、制御部１６は、タッチ入力された商品詳細閲覧用タッチエリア８０ｔに対応する商品の詳細情報を、サーバ装置２０に対して要求する商品詳細情報要求信号を生成し、生成した商品詳細情報要求信号を、第２無線通信部１５に送信させる。
【０１６３】
サーバ装置２０では、通信部２１によって商品詳細情報要求信号が受信されると、制御部２３は、記憶部２４に記憶される商品情報テーブル３２（図７参照）から、タッチ入力に対応する商品の詳細情報を抽出し、抽出した詳細情報を送信するための商品詳細情報送信信号を生成する。そして、制御部２３は、商品詳細情報要求信号を送信してきた携帯端末装置１０に対し、商品詳細情報送信信号を、通信部２１に送信させる。
【０１６４】
これにより、携帯端末装置１０では、第２無線通信部１５が商品詳細情報送信信号を受信すると、制御部１６は、受信された商品詳細情報送信信号に含まれる詳細情報に基づいて、商品詳細画面Ｄ８の画像データを生成し、商品詳細画面Ｄ８を表示部１１に表示させる。図２３は、商品詳細画面Ｄ８の一例を示す図である。
【０１６５】
商品詳細画面Ｄ８には、その商品の詳細情報が表示されるとともに、その商品を購入可能なオンライン店舗へのリンク情報であるバナー８５、および商品詳細画面Ｄ８を閉じるためのアイコン８６が表示される。さらに、そのバナー８５を包含する所定の領域に対してバナー用タッチエリア８５ｔが設定され、アイコン８６を包含する所定の領域に対して閉ページ用タッチエリア８６ｔが設定されている。
【０１６６】
この商品詳細画面Ｄ８において、バナー用タッチエリア８５ｔに対してタッチ入力が行われた場合には、制御部１６は、タッチ入力が行われたバナー用タッチエリア８５ｔに対応するサイトにおける商品購入ページを表示させる。
【０１６７】
またこの商品詳細画面Ｄ８において、閉ページ用タッチエリア８６ｔに対してタッチ入力が行われた場合には、制御部１６は、この商品詳細画面Ｄ８を閉じ、番組紹介商品一覧画面Ｄ７の画像データを生成し、番組紹介商品一覧画面Ｄ７を表示部１１に表示させる。
【０１６８】
この番組紹介商品一覧画面Ｄ７において、お気に入り登録用タッチエリア８４ｔに対してタッチ入力が行われた場合には、制御部１６は、アプリケーション６のインストール時に生成されたお気に入り登録情報テーブル４５に、タッチ入力されたお気に入り登録用タッチエリア８４ｔに対応する商品の商品情報を格納する。
【０１６９】
図２４は、お気に入り登録情報テーブル４５のデータ構成の一例を示す図である。お気に入り登録情報テーブル４５には、１つのお気に入り登録情報について、携帯端末装置１０に割り当てられているユーザ識別情報４５ａ、タッチ入力されたお気に入り登録用タッチエリア８４ｔに対応する商品の識別情報４５ｂ、登録用タッチエリア８４ｔに対するタッチ入力が行われた日時４５ｃの各項目に関するデータが格納される。
【０１７０】
そして、制御部１６は、お気に入り登録情報をお気に入り登録情報テーブル４５に格納後、お気に入り登録情報テーブル４５に格納したお気に入り登録情報を、サーバ装置２０に対して通知するためのお気に入り登録情報通知信号を生成し、生成したお気に入り登録情報通知信号を、第２無線通信部１５に送信させる。
【０１７１】
本実施形態では、前記のように、携帯端末装置１０にお気に入り登録情報テーブル４５を設け、登録用タッチエリア８４ｔに対するタッチ入力が行われるたびに、お気に入り登録情報をお気に入り登録情報テーブル４５に格納するように構成されているが、他の実施形態では、ユーザによって登録用タッチエリア８４ｔに対するタッチ入力が行われると、前記各項目４５ａ〜４５ｃを含むお気に入り登録情報を自装置に格納することなく、サーバ装置２０へ送信するように構成されてもよい。この場合には、携帯端末装置１０は、通信ネットワーク２を介してサーバ装置２０との間で通信可能な状態となっている必要がある。このように、他の実施形態では、お気に入り登録情報を、携帯端末装置１０へ記憶しておくのではなく、サーバ装置２０に登録しておき、必要に応じて参照するように構成されてもよい。
【０１７２】
サーバ装置２０では、通信部２１によってお気に入り登録情報通知信号が受信されると、制御部２３は、お気に入り登録情報通知信号に含まれるお気に入り登録情報を、記憶部２４に記憶されるお気に入り登録情報テーブル３５（図１０参照）に格納する。このようにして、サーバ装置２０には、アプリケーション６を実行する各携帯端末装置１０からお気に入り登録情報が送信され、お気に入り登録情報テーブル３５に蓄積されていく。このようにしてお気に入り登録情報テーブル３５に蓄積された情報は、たとえば、前記のように商品情報テーブル３２に記憶される商品に関する前記指標を生成するために用いられてもよい。
【０１７３】
また、このお気に入り登録情報テーブル３５に格納されたお気に入り登録情報は、前記お気に入り商品一覧画面Ｄ６を表示部１１に表示する際に用いられる。具体的には、チェック番組一覧画面Ｄ５において、お気に入り切換用タッチエリア７３ｔに対してタッチ入力が行われた場合には、制御部１６は、お気に入りに登録した商品の商品情報を、サーバ装置２０に対して要求するお気に入り登録商品情報要求信号を生成し、生成したお気に入り登録商品情報要求信号を、第２無線通信部１５に送信させる。
【０１７４】
サーバ装置２０では、通信部２１によってお気に入り登録商品情報要求信号が受信されると、制御部２３は、記憶部２４に記憶されるお気に入り登録情報テーブル３５（図１０参照）から、お気に入り登録商品情報要求信号を送信した携帯端末装置１０に対応するお気に入り登録情報を抽出し、抽出したお気に入り登録情報に含まれる商品の識別情報３５ｂのデータを基に、記憶部２４に記憶される商品情報テーブル３２（図７参照）から同一の識別情報３２ａのデータを有する商品情報を検索して、取得された商品情報を送信するためのお気に入り登録商品情報送信信号を生成する。そして、制御部２３は、お気に入り登録商品情報要求信号を送信してきた携帯端末装置１０に対し、お気に入り登録商品情報送信信号を、通信部２１に送信させる。
【０１７５】
これにより、携帯端末装置１０では、第２無線通信部１５がお気に入り登録商品情報送信信号を受信すると、制御部１６は、受信されたお気に入り登録商品情報送信信号に含まれる商品情報に基づいて、お気に入り商品一覧画面Ｄ６の画像データを生成し、お気に入り商品一覧画面Ｄ６を表示部１１に表示させる。これにより、お気に入り商品一覧画面Ｄ６のお気に入り商品一覧ウインドウ７５には、お気に入り登録した商品ごとに設けられたお気に入り商品表示エリア８７が、画面の縦方向に並べて表示される。
【０１７６】
各お気に入り商品表示エリア８７内には、サーバ装置２０から送信されたお気に入り登録商品情報に基づいて、商品の画像８０、その商品のジャンル８１、その商品の商品名８２が表示されている。さらに、各お気に入り商品表示エリア８７内には、画像８０、ジャンル８１、商品名８２を包含する所定の領域に対して商品詳細閲覧用タッチエリア８０ｔが設定されている。
【０１７７】
このお気に入り商品一覧画面Ｄ６において、商品詳細閲覧用タッチエリア８０ｔに対してタッチ入力が行われた場合には、前記と同様に、その商品の商品詳細画面Ｄ８が表示部１１に表示される。
【０１７８】
上記の実施形態では、サーバ装置２０は、携帯端末装置１０から受信した番組チェック情報に関連する商品の商品情報が商品情報テーブル３２に記憶されると、その番組チェック情報を送信した携帯端末装置１０に対して、所望の商品の商品情報が商品情報テーブル３２に記憶されたことを通知する電子メールを送信するように構成されている。他の実施形態では、サーバ装置２０は、番組チェック情報を送信した携帯端末装置１０に対して、所望の商品の商品情報が商品情報テーブル３２に記憶されたこと示すメッセージと、そのメッセージを携帯端末装置１０の表示部１１に表示させる制御信号とを、該携帯端末装置１０に対して送信してもよい。
【０１７９】
さらに他の実施形態では、サーバ装置２０は、番組チェック情報を送信した携帯端末装置１０に対して、商品情報自体を電子メールで送信してもよい。また、この場合において、番組チェック情報テーブル３４に、同一のユーザ識別情報を有する番組チェック情報が複数格納されている場合には、サーバ装置２０は、その複数の番組チェック情報に関連する各商品の商品情報が全て商品情報テーブル３２に記憶された段階で、番組チェック情報を送信した携帯端末装置１０に対し、それら複数の商品情報を含む電子カタログを電子メールで送信してもよい。
【０１８０】
また上記の実施形態では、サーバ装置２０の記憶部２４に記憶される指標情報テーブル３１には、各テレビ番組の視聴に関する指標を示す情報として、ミニブログサービスでの現在放送中の各テレビ番組に関する投稿数に基づいて算出された指標が格納されているが、他の実施形態では、各テレビ番組の視聴に関する指標を示す情報として、現在放送中の各テレビ番組の視聴率が格納されてもよい。
【０１８１】
この場合、視聴率は、外部の調査期間によって調査されたものであってもよく、または、選局操作履歴情報テーブル３３に格納されている選局操作履歴情報に基づいて、サーバ装置２０において独自に算出されたものであってもよい。
【０１８２】
また上記の実施形態では、携帯端末装置１０の表示部１１に、放送チャンネルごとに指標を表示させることによって、各放送チャンネルにおけるテレビ番組の盛り上がりの度合いをユーザに対して通知していたが、他の実施形態では、現在視聴中のテレビ番組よりも盛り上がっているテレビ番組の存在を、ＴＶ受像機３を介してユーザに通知するように構成されてもよい。
【０１８３】
図２５は、現在視聴中のテレビ番組よりも盛り上がっているテレビ番組の存在を、ＴＶ受像機３を介してユーザに通知する方法の例を示す図である。図２５（ａ）は、現在視聴中のテレビ番組よりも盛り上がっているテレビ番組の存在していることを示すメッセージを、ＯＳＤ（On Screen Display）を用いて表示する例を示している。
【０１８４】
また図２５（ｂ）は、現在視聴中のテレビ番組よりも盛り上がっているテレビ番組を、ＰｉｎＰ（Picture in Picture）表示する例を示している。また図２５（ｃ）は、現在視聴中のテレビ番組よりも盛り上がっているテレビ番組を、現在視聴中のテレビ番組と並べて２画面表示する例を示している。
【０１８５】
このようにＴＶ受像機３に対して盛り上がっているテレビ番組に関する情報を表示させる場合、携帯端末装置１０の制御部１６は、サーバ装置２０から取得される各テレビ番組の視聴に関する指標と、ユーザによって予め設定された閾値とを比較し、各テレビ番組の視聴に関する指標が前記閾値を上回ったときに、その指標に対応するテレビ番組と、現在ＴＶ受像機３によって視聴されているテレビ番組とが異なっていれば、所定のメッセージをＯＳＤ表示させるためのコマンド信号、指標が前記閾値を上回ったテレビ番組をＰｉｎＰ表示させるためのコマンド信号、および現在視聴中のテレビ番組と指標が前記閾値を上回ったテレビ番組とを２画面表示させるためのコマンド信号のいずれかを生成し、生成したコマンド信号を含む無線信号を、第１無線通信部１４に生成させて出力させる。これにより、この無線信号を受信したＴＶ受像機３では、その無線信号に含まれるコマンド信号に対応した表示が行われる。
【０１８６】
これにより、ユーザは、携帯端末装置１０の表示部１１を確認しなくても、盛り上がっている番組の存在を知ることができるため、テレビ番組の視聴に集中することができる。なお、前記のようなＯＳＤ表示、ＰｉｎＰ表示および２画面表示は、一定期間（たとえば５秒）経過すると消去され、元の画面に復帰する。なお、メッセージをＯＳＤ表示させる機能を利用して、盛り上がっているテレビ番組の存在していることを示すメッセージだけではなく、チェックした商品の商品情報が商品情報テーブル３２に記憶されたことを通知するメッセージをＯＳＤ表示させてもよい。
【０１８７】
図２６は、本発明の他の実施形態に係る情報通信システム１Ａの概略的な構成を示す概略構成図である。本実施形態に係る情報通信システム１Ａは、前述の実施形態に係る情報通信システム１に加えて、さらにテレビ番組を録画して蓄積する録画装置４を備えて構成される。
【０１８８】
録画装置４は、ＴＶ受像機３に有線または無線で接続されるレコーダ装置によって実現されてもよく、ＴＶ受像機３に内蔵されてもよい。本実施形態では、この録画装置４は、ユーザによって指定された１つのテレビ番組を録画する通常の録画機能のほか、選局可能な複数あるいは全ての放送局で放送中の各テレビ番組を同時に録画する機能を有している。
【０１８９】
録画装置４は、記憶部と、制御部とを備え、録画されたテレビ番組を記憶部に格納するとともに、制御部は、録画されたテレビ番組に関する情報である録画番組情報を生成し、記憶部に設けられている録画番組リスト情報テーブル４６に格納する。
【０１９０】
図２７は、録画番組リスト情報テーブル４６のデータ構成の一例を示す図である。録画番組リスト情報テーブル４６には、１つの録画番組情報について、放送局名４６ａ、番組タイトル４６ｂ、録画開始日時４６ｃおよび録画終了日時４６ｄの各項目に関するデータが格納される。
【０１９１】
本実施形態に係る携帯端末装置１０は、アプリケーション６が起動されると、制御部１６は、現在放送中のテレビ番組用のリモコン装置として動作する第１モードと、録画装置４に録画されているテレビ番組用のリモコン装置として動作する第２モードとをユーザに選択させるためのモード選択画面を表示部１１に表示させ、ユーザにモード選択を行わせるように構成されている。
【０１９２】
ここで、ユーザがタッチ入力することにより第１モードが選択されると、前記の実施形態の様に、表示部１１に第１リモコン画面Ｄ１が表示され、タッチ入力に応じた所定の処理が行われる。一方、ユーザがタッチ入力することにより第２モードが選択されると、制御部１６は、録画装置４に記憶されている録画番組情報を、ＴＶ受像機３あるいは録画装置４に対して要求するための録画番組情報要求信号を生成し、生成した録画番組情報要求信号を、第１無線通信部１４に送信させる。
【０１９３】
なお、他の実施形態では、アプリケーション６の起動直後に、第１および第２モードをユーザに選択させるのではなく、前記の実施形態の様に、表示部１１に第１リモコン画面Ｄ１を表示させ、その第１リモコン画面Ｄ１の中に、第２モード移行用アイコンを表示させるとともに、その第２モード移行用アイコンを包含する所定の領域に対して第２モード移行用タッチエリアを設定しておき、その第２モード移行用タッチエリアに対してタッチ入力が行われた場合に、制御部１６が、録画番組情報要求信号を生成して、生成した録画番組情報要求信号を、第１無線通信部１４に送信させるように構成してもよい。
【０１９４】
本実施形態では、ＴＶ受像機３あるいは録画装置４は、携帯端末装置１０から送信された録画番組情報要求信号を受信すると、録画装置４の記憶部に記憶されている録画番組リスト情報テーブル４６に基づいて、記憶部に記憶されている各テレビ番組に関する録画番組情報を通知するための録画番組情報通知信号を、外部へ送信可能に構成されているものとする。
【０１９５】
そして、携帯端末装置１０では、第１無線通信部１４によって録画番組情報通知信号が受信されると、制御部１６は、その録画番組情報通知信号に含まれる録画番組情報に基づいて、録画番組情報テーブル４７を生成する。
【０１９６】
図２８は、録画番組情報テーブル４７のデータ構成の一例を示す図である。録画番組情報テーブル４７には、１つの録画番組情報について、放送局名４７ａ、番組タイトル４７ｂ、録画開始日時４７ｃ、録画終了日時４７ｄ、平均指標４７ｅおよび最大指標４７ｆの各項目に関するデータが格納される。ここでは、制御部１６は、録画番組情報通知信号に含まれる録画番組情報に基づいて、放送局名４７ａ、番組タイトル４７ｂ、録画開始日時４７ｃおよび録画終了日時４７ｄの各項目についてのみ、データをそれぞれ格納する。
【０１９７】
そして、制御部１６は、録画番組情報テーブル４７に格納されている各テレビ番組についての盛上りの度合いを示す指標情報を、サーバ装置２０に対して要求するための指標情報要求信号を生成し、生成した指標情報要求信号を、第２無線通信部１５に送信させる。
【０１９８】
サーバ装置２０では、通信部２１によって指標情報要求信号が受信されると、制御部２３は、要求されている各テレビ番組について、各時間での指標情報、すなわち本実施形態では１分ごとの指標情報を指標情報テーブル３１（図６参照）から抽出し、これらの情報を通知するための指標情報通知信号を生成する。そして、制御部２３は、該指標情報要求信号を送信してきた携帯端末装置１０に対し、生成した指標情報通知信号を、通信部２１に送信させる。
【０１９９】
これにより、携帯端末装置１０では、第２無線通信部１５が指標情報通知信号を受信すると、制御部１６は、受信された指標情報通知信号から各テレビ番組の時系列の指標情報を取得し、取得した時系列の指標情報に基づいて、各テレビ番組の平均指標および最大指標を算出して、録画番組情報テーブル４７における平均指標４７ｅおよび最大指標４７ｆの各項目に格納する。なお、この平均指標および最大指標は、サーバ装置２０において各テレビ番組が放送終了するたびに算出され、携帯端末装置１０から送信される指標情報要求信号に応答して、サーバ装置２０が、要求されている各テレビ番組の平均指標および最大指標を、該指標情報要求信号を送信してきた携帯端末装置１０に対して通知するように構成してもよい。
【０２００】
さらに制御部１６は、このようにして放送局名４７ａ、番組タイトル４７ｂ、録画開始日時４７ｃ、録画終了日時４７ｄ、平均指標４７ｅおよび最大指標４７ｆの各項目にデータが格納された録画番組情報テーブル４７に基づいて、録画用リモコン画面Ｄ９の画像データを生成し、録画用リモコン画面Ｄ９を表示部１１に表示させる。図２９は、録画用リモコン画面Ｄ９の一例を示す図である。
【０２０１】
録画用リモコン画面Ｄ９は、前記の第１リモコン画面Ｄ１と同様に、上部領域５１ｂ、中央領域５１ａおよび下部領域５１ｃの３つの領域を有し、上部領域５１ｂおよび下部領域５１ｃについては、第１リモコン画面Ｄ１と同一であるので、説明を省略する。
【０２０２】
録画用リモコン画面Ｄ９の中央領域５１ａには、録画されているテレビ番組ごとに設けられた横長の録画番組表示エリア９１が、画面の縦方向（図２９における上下方向）に並べて表示される。
【０２０３】
各録画番組表示エリア９１内には、録画されているテレビ番組の番組タイトル５５、そのテレビ番組の録画開始および終了日時９２、およびそのテレビ番組の盛上りの度合いを示す指標アイコン９３が表示されている。
【０２０４】
本実施形態では、各テレビ番組の盛上りの度合いを示す指標アイコン９３は、星の数によって指標の大小を示すように表示されている。指標アイコン９３には、録画番組情報テーブル４７における平均指標４７ｅおよび最大指標４７ｆのいずれかに基づく指標が表示される。図２９に示す例では、平均指標４７ｅに基づく指標が表示されている。平均指標４７ｅおよび最大指標４７ｆのうちのいずれの指標を表示させるかは、ユーザによって適宜設定を変更できるように構成されている。なお、指標アイコン９３の表示形式は、星の数に限らず、第１リモコン画面Ｄ１のように棒グラフの形式であってもよい。
【０２０５】
また、各録画番組表示エリア９１には、番組タイトル５５、録画開始および終了日時９２、ならびに指標アイコン９３を包含する所定の領域に対して再生用タッチエリア９１ｔが設定されている。
【０２０６】
この録画用リモコン画面Ｄ９において、再生用タッチエリア９１ｔに対してタッチ入力が行われた場合には、制御部１６は、タッチ入力された再生用タッチエリア９１ｔに対応するテレビ番組を再生するためのコマンド信号を生成する。そして、生成したコマンド信号を含む無線信号を、第１無線通信部１４に生成させて出力させる。
【０２０７】
これにより、第１無線通信部１４から出力された無線信号がＴＶ受像機３あるいは録画装置４で受信されると、そのＴＶ受像機３では、ユーザによるタッチ入力によって選択されたテレビ番組が再生表示される。
【０２０８】
このように、ユーザは、録画されている各テレビ番組の指標アイコン９３を録画用リモコン画面Ｄ９において確認しながら、その録画用リモコン画面Ｄ９に設定されている再生用タッチエリア９１ｔに対してタッチ入力することで、所望のテレビ番組を再生することができる。すなわち、ユーザは、本実施形態に係る携帯端末装置１０を所持するだけで、録画されている各テレビ番組の盛上りの度合いを確認しつつ、所望のテレビ番組を再生することができる。したがって、再生操作のために携帯端末装置１０からＴＶ受像機３あるいは録画装置４に付属の専用リモコンに持ち替えるという煩わしい動作を省略することができる。
【０２０９】
また本実施形態では、前記のように再生用タッチエリア９１ｔに対してタッチ入力が行われると、制御部１６は、タッチ入力された再生用タッチエリア９１ｔに対応する放送局および／またはテレビ番組に関連したミニブログ情報であって、録画開始時刻から録画終了時刻の間に投稿されたミニブログ情報を、サーバ装置２０に対して要求するミニブログ情報要求信号を生成し、生成したミニブログ情報要求信号を、第２無線通信部１５に送信させる。
【０２１０】
サーバ装置２０では、通信部２１によってミニブログ情報要求信号が受信されると、制御部２３は、記憶部２４に記憶されるミニブログ情報データベース３６（図１１参照）から、要求されている放送局および／またはテレビ番組に関連したミニブログ情報であって、録画開始時刻から録画終了時刻の間に投稿されたミニブログ情報を抽出し、抽出したミニブログ情報を送信するためのミニブログ情報送信信号を生成する。そして、制御部２３は、ミニブログ情報要求信号を送信してきた携帯端末装置１０に対し、生成したミニブログ情報送信信号を、通信部２１に送信させる。
【０２１１】
これにより、携帯端末装置１０では、第２無線通信部１５がミニブログ情報送信信号を受信すると、制御部１６は、受信されたミニブログ情報送信信号に含まれるミニブログ情報を、ミニブログ情報テーブル４３（図１６参照）に格納する。
【０２１２】
さらに制御部１６は、このミニブログ情報テーブル４３に基づいて、ミニブログ閲覧用画面Ｄ１０の画像データを生成し、ミニブログ閲覧用画面Ｄ１０を表示部１１に表示させる。図３０は、ミニブログ閲覧用画面Ｄ１０の一例を示す図である。
【０２１３】
ミニブログ閲覧用画面Ｄ１０は、第１リモコン画面Ｄ１と同様に、上部領域５１ｂ、中央領域５１ａおよび下部領域５１ｃの３つの領域を有し、上部領域５１ｂおよび下部領域５１ｃについては、第１リモコン画面Ｄ１と同一であるので、説明を省略する。
【０２１４】
ミニブログ閲覧用画面Ｄ１０の中央領域５１ａには、再生用タッチエリア９１ｔに対応するテレビ番組が放送された放送局名５４、およびそのテレビ番組の番組タイトル５５が表示されるとともに、ミニブログ情報テーブル４３に基づいて、ミニブログ情報が表示される。
【０２１５】
本実施形態では、制御部１６は、ミニブログ情報テーブル４３における投稿日時４３ｃに基づいて、各ミニブログを、ＴＶ受像機３で再生されているテレビ番組の再生時間に同期させてタイムライン表示させるように構成されている。換言すれば、制御部１６は、前記投稿日時４３ｃに基づいて、各ミニブログを、再生中のテレビ番組が実際に放送されていたときに投稿されたシーン（場面）と同じシーンが再生されたときに、ミニブログ閲覧用画面Ｄ１０に表示させるように構成されている。したがって、ユーザは、再生中のテレビ番組が実際に放送されていたときと同じようなミニブログサービスでの盛上りを体験することができる。
【０２１６】
本実施形態では、上記のように、再生用タッチエリア９１ｔに対してタッチ入力が行われると、タッチ入力によって選択されたテレビ番組がＴＶ受像機３で再生表示されるとともに、携帯端末装置１０の表示部１１には、再生用タッチエリア９１ｔに対応する放送局および／またはテレビ番組に関連したミニブログ情報がタイムライン表示されるように構成されているが、他の実施形態では、再生用タッチエリア９１ｔに対してタッチ入力が行われると、制御部１６は、携帯端末装置１０の表示部１１に、サーバ装置２０から送信された指標情報通知信号に含まれる各テレビ番組の時系列の指標情報に基づいて、タッチ入力によって選択されたテレビ番組における指標の時系列的な推移を、折れ線グラフの形式で表示させた指標推移画面Ｄ１１を表示させるように構成されてもよい。図３１は、指標推移画面Ｄ１１の一例を示す図である。
【０２１７】
指標推移画面Ｄ１１には、タッチ入力によって選択されたテレビ番組の番組タイトル５５が表示されるとともに、折れ線グラフの形式で表わされた番組指標推移グラフ９４が表示されている。なお、番組指標推移グラフ９４の横軸は、そのテレビ番組の始まりからの経過時間を示し、縦軸は、各時間における盛上りの度合いを示している。また、番組指標推移グラフ９４の表示領域を包含する所定の領域に対して、再生場面指定用タッチエリア９４ｔが設定されている。
【０２１８】
この再生場面指定用タッチエリア９４ｔ内の任意の位置がユーザによってタッチ入力されると、制御部１６は、画面の横方向（図３１における左右方向）におけるタッチ位置の座標に基づいて、選択されたテレビ番組を、その座標に対応する時間から再生するためのコマンド信号を生成する。そして、生成したコマンド信号を含む無線信号を、第１無線通信部１４に生成させて出力させる。
【０２１９】
これにより、第１無線通信部１４から出力された無線信号がＴＶ受像機３あるいは録画装置４で受信されると、そのＴＶ受像機３では、ユーザによるタッチ入力に応じた場面からテレビ番組が再生表示される。したがって、ユーザは、指標推移画面Ｄ１１に表示される番組指標推移グラフ９４において盛上りのピーク位置よりも少し左側の位置をタッチ入力することにより、そのテレビ番組において盛り上がったシーンだけを視聴することができる。
【０２２０】
上記の実施形態では、携帯端末装置１０は、録画装置４に録画されているテレビ番組用のリモコン装置として動作する第２モードへ移行すると、録画用リモコン画面Ｄ９が表示部１１に表示されるように構成されているが、他の実施形態として、選局可能な各放送局において、ユーザによって指定された録画開始時間から予め定める時間（たとえば１００時間）の間に放送された全てのテレビ番組が、録画装置４によって録画されている場合、いわゆる全録されている場合には、前記第２モードへの移行に伴って、録画用リモコン画面Ｄ９ではなく、第１リモコン画面Ｄ１（図１３参照）を表示部１１に表示させることもできる。
【０２２１】
具体的に説明すると、録画装置４の記憶部に全録されたデータが格納されている場合には、前記第２モードへ移行する際、制御部１６は、全録された期間における任意の日時をユーザに指定させるための入力画面を表示部１１に表示させる。そして、ユーザによるタッチ入力によって任意の日時が指定されると、制御部１６は、記憶部１７に記憶されているチャンネル設定テーブル、録画番組情報テーブル４７、および前記指標情報通知信号から取得された各テレビ番組の時系列の指標情報に基づいて、指定された日時における第１リモコン画面Ｄ１の画像データを生成し、第１リモコン画面Ｄ１を表示部１１に表示させる。
【０２２２】
そして、第１リモコン画面Ｄ１において、選局用タッチエリア５３ｔに対してタッチ入力が行われた場合には、制御部１６は、タッチ入力された選局用タッチエリア５３ｔのチャンネルスロットに対応する放送チャンネルのテレビ番組を、指定された日時から再生するためのコマンド信号を生成する。そして、生成したコマンド信号を含む無線信号を、第１無線通信部１４に生成させて出力させる。
【０２２３】
これにより、第１無線通信部１４から出力された無線信号がＴＶ受像機３あるいは録画装置４で受信されると、そのＴＶ受像機３では、第１リモコン画面Ｄ１において選択されたテレビ番組が前記指定された日時から再生表示される。
【０２２４】
また、制御部１６は、録画番組情報テーブル４７および前記各テレビ番組の時系列の指標情報に基づいて、ＴＶ受像機３における再生表示に同期して、所定の周期で第１リモコン画面Ｄ１を更新して表示部１１に表示させる。なお、ここでは、各テレビ番組の時系列の指標情報を予めサーバ装置２０から取得しておく構成としているが、前述の実施形態と同様に、所定の周期で（たとえば１分ごとに）サーバ装置２０に対して指標情報を問合せて、サーバ装置２０から取得した指標情報に基づいて、第１リモコン画面Ｄ１を更新してもよい。
【０２２５】
これにより、ＴＶ受像機３に再生表示されているテレビ番組が放送されていた過去のその時刻と同じ状況を再現することができる。これにより、ユーザは、第１リモコン画面Ｄ１を確認することによって、過去のその時刻において、どの放送局あるいはどのテレビ番組が盛り上がっていたのかを、容易に認識することができる。
【０２２６】
そして、再生開始から任意の時間経過後に、第１リモコン画面Ｄ１において、前回タッチ入力が行われた選局用タッチエリア５３ｔとは異なる選局用タッチエリア５３ｔに対してタッチ入力が行われると、制御部１６は、今回タッチ入力された選局用タッチエリア５３ｔのチャンネルスロットに対応する放送チャンネルのテレビ番組を、前記指定された日時から前記任意の時間分だけ経過した時刻から再生するためのコマンド信号を生成する。そして、生成したコマンド信号を含む無線信号を、第１無線通信部１４に生成させて出力させる。
【０２２７】
これにより、第１無線通信部１４から出力された無線信号がＴＶ受像機３あるいは録画装置４で受信されると、そのＴＶ受像機３では、第１リモコン画面Ｄ１において選択されたテレビ番組が、前記指定された日時から前記任意の時間分だけ経過した時刻から再生表示される。したがって、ユーザは、あたかも全録された過去の期間に戻ったかのように、テレビ番組を再生表示させることができる。このとき、ユーザは、第１リモコン画面Ｄ１を確認することによって、過去のその時刻において、どの放送局あるいはどのテレビ番組が盛り上がっていたのかを、容易に認識することができる。
【０２２８】
本実施形態に係る情報通信システム１Ａでは、さらに、サーバ装置２０から取得されて表示部１１に表示された商品情報が、ユーザによるタッチ入力によって選択されると、録画装置４に記憶されているテレビ番組の中から、選択された商品情報に係る商品が紹介されたテレビ番組を検索し、検索の結果、該当するテレビ番組が存在した場合には、そのテレビ番組を再生表示させるように構成されるのが好ましい。
【０２２９】
具体的には、チェック番組一覧画面Ｄ５（図２０参照）において番組紹介商品閲覧用タッチエリア７７ｔに対しタッチ入力が行われることにより、サーバ装置２０から取得された商品情報に基づいて、番組紹介商品一覧画面Ｄ７（図２２参照）が表示部１１に表示された状態で、商品詳細閲覧用タッチエリア８０ｔに対してタッチ入力が行われると、制御部１６は、前記のように、商品詳細画面Ｄ８（図２３参照）を表示部１１に表示させるとともに、取得された商品情報に含まれる番組タイトル３２ｃ（図７参照）および紹介されていたテレビ番組の放送日時の各データをキーにして、録画番組リスト情報テーブル４６に記憶されている録画番組情報の中から、当該商品情報が紹介されたテレビ番組を検索する。
【０２３０】
そして、検索の結果、該当するテレビ番組が録画装置４の記憶部に記憶されていると判定されると、制御部１６は、そのテレビ番組を再生するためのコマンド信号を生成し、生成したコマンド信号を含む無線信号を、第１無線通信部１４に生成させて出力させる。
【０２３１】
これにより、第１無線通信部１４から出力された無線信号がＴＶ受像機３あるいは録画装置４で受信されると、そのＴＶ受像機３では、ユーザによりタッチ入力にされた商品詳細閲覧用タッチエリア８０ｔに対応する商品が紹介されていたテレビ番組が再生表示される。この場合、制御部１６は、取得された商品情報に含まれる時間帯３２ｅのデータに基づいて、その商品が紹介されていた場面から該テレビ番組を再生表示させるのが好ましい。
【０２３２】
このように本実施形態によれば、ユーザは、気になった商品の詳細情報を、商品詳細画面Ｄ８において確認するとともに、その商品が紹介されたテレビ番組を視聴することで、その商品を確認することができる。したがって、ユーザは、商品詳細画面Ｄ８を閲覧するだけでは得られない商品の質感やサイズなどの情報を、テレビ番組を介して取得することができる。また、その商品が紹介されていた場面からテレビ番組を再生表示させるように構成されているので、ユーザは、そのテレビ番組を全て視聴する必要がなく、その商品に関する情報だけを容易に取得することができる。
【符号の説明】
【０２３３】
１  情報通信システム
２  通信ネットワーク
３  ＴＶ受像機
６  アプリケーション
１０  携帯端末装置
１１  表示部
１２ａ  タッチパネル
１４  第１無線通信部
１５  第２無線通信部
１６  制御部
１７  記憶部
２０  サーバ装置
２１  通信部
２３  制御部
２４  記憶部
【図１】
0005668013.tif 000002
【図２】
0005668013.tif 000003
【図３】
0005668013.tif 000004
【図４】
0005668013.tif 000005
【図５】
0005668013.tif 000006
【図６】
0005668013.tif 000007
【図７】
0005668013.tif 000008
【図８】
0005668013.tif 000009
【図９】
0005668013.tif 000010
【図１０】
0005668013.tif 000011
【図１１】
0005668013.tif 000012
【図１２】
0005668013.tif 000013
【図１６】
0005668013.tif 000014
【図２３】
0005668013.tif 000015
【図２４】
0005668013.tif 000016
【図２８】
0005668013.tif 000017
【図３０】
0005668013.tif 000018
【図３１】
0005668013.tif 000019
【図１３】
0005668013.tif 000020
【図１４】
0005668013.tif 000021
【図１５】
0005668013.tif 000022
【図１７】
0005668013.tif 000023
【図１８】
0005668013.tif 000024
【図１９】
0005668013.tif 000025
【図２０】
0005668013.tif 000026
【図２１】
0005668013.tif 000027
【図２２】
0005668013.tif 000028
【図２５】
0005668013.tif 000029
【図２６】
0005668013.tif 000030
【図２７】
0005668013.tif 000031
【図２９】
0005668013.tif 000032